(57)【要約】  基地局装置は、配置されるサブフレームの種別に応じた項目からなる制御データの信号を生成する制御信号生成部と、第一種サブフレーム候補情報により指定されたサブフレームのうち第一種サブフレームとするサブフレームを示すスケジューリング情報の信号を生成するスケジューリング情報信号生成部と、制御データの信号を第一種および第二種サブフレームに配置し、スケジューリング情報の信号を第一種サブフレームに配置する多重部とを具備し、移動局装置は、第一種サブフレーム候補情報とスケジューリング情報とに基づき、受信したサブフレーム各々の種別を判定するフレーム種別判定部と、サブフレーム各々に対してフレーム種別判定部の判定結果が示す種別に対応する項目の制御データの検出処理を行なう制御データ検出部とを具備することで、制御データの受信にかかわる処理負荷を抑制する。
2009157443.tif 000002
【特許請求の範囲】
【請求項１】
第一種のデータを配置する第一種サブフレームと第二種のデータを配置する第二種サブフレームとを時間多重して送信する基地局装置と、前記基地局装置が送信したサブフレームから自装置宛ての信号を受信する複数の移動局装置とを具備する無線通信システムにおいて、
前記基地局装置は、
前記サブフレーム各々の種別を決定する無線リソース制御部と、
配置される前記サブフレームの種別に応じた項目からなる制御データの信号を生成する制御信号生成部と、
前記第一種サブフレームを配置可能なサブフレームを指定する情報であって予め保持している第一種サブフレーム候補情報により指定されたサブフレームのうち、前記第一種サブフレームとするサブフレームを示すダイナミックスケジューリング情報の信号を生成するダイナミックスケジューリング情報信号生成部と、
前記制御データの信号を前記第一種サブフレームと前記第二種サブフレームとに配置し、前記ダイナミックスケジューリング情報の信号を前記第一種サブフレームに配置する多重部と、
前記多重部による多重結果の信号を送信する送信部と
を具備し、
前記移動局装置は、
前記基地局装置から送信された信号を受信する受信部と、
前記受信した信号から前記ダイナミックスケジューリング情報を検出するダイナミックスケジューリング情報検出部と、
予め保持している前記第一種サブフレーム候補情報と、前記ダイナミックスケジューリング情報とに基づき、前記受信した信号のサブフレーム各々の種別を判定するフレーム種別判定部と、
前記受信した信号のサブフレーム各々に対して、前記フレーム種別判定部の判定結果が示す種別に対応する項目の前記制御データの検出処理を行なう制御データ検出部と
を具備することを特徴とする無線通信システム。
【請求項２】
前記第一種のデータは、複数の前記移動局装置に宛てたブロードキャストまたはマルチキャストのデータであり、前記第二種のデータは、一つの前記移動局装置に宛てたユニキャストのデータであることを特徴とする請求項１に記載の無線通信システム。
【請求項３】
前記ダイナミックスケジューリング情報は、前記第一種サブフレーム候補情報により指定されたサブフレームに配置され、配置されたサブフレーム以降の前記第一種サブフレーム候補情報により指定されたサブフレームのうち、前記第一種サブフレームとするサブフレームを示すことを特徴とする請求項１に記載の無線通信システム。
【請求項４】
前記第一種サブフレーム候補情報は、予め決められた周期内のサブフレーム群について、前記第一種サブフレームを配置可能なサブフレームを指定する情報であり、
前記ダイナミックスケジューリング情報は、前記周期内に一つまたは複数配置され、前記周期内に配置され、連続した第一種のデータからなるデータ列各々が配置されるサブフレームを指定すること
を特徴とする請求項１に記載の無線通信システム。
【請求項５】
前記制御データ検出部は、前記フレーム種別判定部の判定結果が示す種別に対応する項目の前記制御データの検出処理を行なう際に、前記項目に応じたデータサイズを用いることを特徴とする請求項１に記載の無線通信システム。
【請求項６】
前記判定結果が示す種別に対応する項目は、前記判定結果が示す種別が第一種サブフレームのときは、上りリンクの無線リソース割当情報および上りリンクの送信電力コマンド情報であることを特徴とする請求項２に記載の無線通信システム。
【請求項７】
前記判定結果が示す種別に対応する項目は、前記判定結果が示す種別が第二種サブフレームのときは、下りリンクの無線リソース割当情報を少なくとも含むことを特徴とする請求項２に記載の無線通信システム。
【請求項８】
前記判定結果が示す種別に対応する項目は、前記判定結果が示す種別が第二種サブフレームのときは、さらに、上りリンクの無線リソース割当情報および上りリンクの送信電力コマンド情報を含むことを特徴とする請求項７記載の無線通信システム。
【請求項９】
第一種のデータを配置する第一種サブフレームと第二種のデータを配置する第二種サブフレームとが時間多重された信号であって、配置されるサブフレームの種別に応じた項目からなる制御データが前記第一種サブフレームと前記第二種サブフレームとに配置された信号から自装置宛ての信号を受信する移動局装置において、
前記時間多重された信号を受信する受信部と、
前記第一種サブフレームを配置可能なサブフレームを指定する情報であって予め保持している第一種サブフレーム候補情報により指定されたサブフレームのうち、前記第一種サブフレームとするサブフレームを示すダイナミックスケジューリング情報を、前記受信した信号から検出するダイナミックスケジューリング情報検出部と
前記第一種サブフレーム候補情報と、前記ダイナミックスケジューリング情報とに基づき、前記受信した信号のサブフレーム各々の種別を判定するフレーム種別判定部と、
前記受信した信号のサブフレーム各々に対して、前記フレーム種別判定部の判定結果が示す種別に対応する項目の制御データの検出処理を行なう制御データ検出部と
を具備することを特徴とする移動局装置。
【請求項１０】
第一種のデータを配置する第一種サブフレームと第二種のデータを配置する第二種サブフレームとが時間多重された信号であって、配置されるサブフレームの種別に応じた項目からなる制御データが前記第一種サブフレームと前記第二種サブフレームとに配置された信号から自装置宛ての信号を受信する移動局装置における無線受信方法において、
前記移動局装置が、前記時間多重された信号を受信する第１の過程と、
前記移動局装置が、前記第一種サブフレームを配置可能なサブフレームを指定する情報であって予め保持している第一種サブフレーム候補情報により指定されたサブフレームのうち、前記第一種サブフレームとするサブフレームを示すダイナミックスケジューリング情報を、前記第１の過程にて受信した信号から検出する第２の過程と、
前記移動局装置が、前記第一種サブフレーム候補情報と、前記ダイナミックスケジューリング情報とに基づき、前記受信した信号のサブフレーム各々の種別を判定する第３の過程と、
前記移動局装置が、前記受信した信号のサブフレーム各々に対して、前記第３の過程による判定結果が示す種別に対応する項目の制御データの検出処理を行なう第４の過程と
を備えることを特徴とする無線受信方法。
【発明の詳細な説明】
【技術分野】
【０００１】
本発明は、無線通信システム、移動局装置および無線受信方法に関する。
本願は、２００８年６月２４日に、日本に出願された特願２００８−１６５１１０号に基づき優先権を主張し、その内容をここに援用する。
【背景技術】
【０００２】
セルラー移動通信の第三世代（３Ｇ）無線アクセス方式として、Ｗ‐ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ；広帯域符号分割多元接続）方式が３ＧＰＰ（３ｒｄ  Ｇｅｎｅｒａｔｉｏｎ  Ｐａｒｔｎｅｒｓｈｉｐ  Ｐｒｏｊｅｃｔ；第三世代パートナーシッププロジェクト）において標準化され、同方式によるセルラー移動通信サービスが開始されている。また、３ＧＰＰにおいて、３Ｇの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；以下、「ＥＵＴＲＡ」という）および３Ｇネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ；以下、「ＥＵＴＲＡＮ」という）が検討されている。【０００３】
ＥＵＴＲＡの基地局装置から移動局装置への送信である下りリンクとして、マルチキャリア送信であるＯＦＤＭ（Ｏｒｔｈｏｇｏｎａｌ  Ｆｒｅｑｕｅｎｃｙ Ｄｉｖｉｓｉｏｎ  Ｍｕｌｔｉｐｌｅｘｉｎｇ；直交周波数分割多重）方式が提案されている。また、ＥＵＴＲＡの移動局装置から基地局装置への送信である上りリンクとして、シングルキャリア送信であるＤＦＴ−Ｓｐｒｅａｄ  ＯＦＤＭ（Ｄｉｓｃｒｅｔｅ  Ｆｏｕｒｉｅｒ  Ｔｒａｎｓｆｏｒｍ−Ｓｐｒｅａｄ  ＯＦＤＭ；離散フーリエ変換−スプレッド直交周波数分割多重）方式のシングルキャリア通信方式が提案されている。【０００４】
ＥＵＴＲＡにおいて、基地局装置ＢＳ１は、移動局装置ＵＥ１、ＵＥ２、ＵＥ３と無線通信を行う。ＥＵＴＲＡの基地局装置ＢＳ１から移動局装置ＵＥ１、ＵＥ２、ＵＥ３への無線通信である下りリンクは、下りリンクパイロットチャネル、下りリンク同期チャネル、報知チャネル、下りリンク制御チャネル、下りリンク共有データチャネル、制御フォーマットインディケータチャネル、下りリンクＨＡＲＱ（Hybrid Automatic Repeat reQuest；ハイブリッド自動再送）インディケータチャネル、マルチキャストチャネルより構成されている。また、ＥＵＴＲＡの移動局装置ＵＥ１、ＵＥ２、ＵＥ３から基地局装置ＢＳ１への無線通信である上りリンクは、上りリンクパイロットチャネルと、ランダムアクセスチャネルと、上りリンク制御チャネルと、上りリンク共有データチャネルとにより構成されている。【０００５】
＜ユニキャストサブフレーム＞
図１５は、ＥＵＴＲＡにおける下りリンク無線フレームの概略構成を示す図である（非特許文献１ 6.2節）。図１５では例として、下りリンク制御チャネルと下りリンク共有データチャネルを時間多重するときの無線フレームのユニキャストサブフレームの概略構成を示している。図１５において、横軸は時間軸、縦軸は周波数軸である。下りリンク無線フレームは、複数の物理リソースブロックＰＲＢ（Ｐｈｙｓｉｃａｌ  Ｒｅｓｏｕｒｃｅ  Ｂｌｏｃｋ）ペアから構成されている。この物理リソースブロックＰＲＢペアは、集中（Ｌｏｃａｌｉｚｅｄ）送信の無線リソース割り当てなどの単位であり、予め決められた幅の周波数帯（ＰＲＢ帯域幅）および時間帯（２スロット＝１サブフレーム）からなる。
基本的に１物理リソースブロックＰＲＢペアは時間領域で連続する２個の物理リソースブロックＰＲＢ（ＰＲＢ帯域幅×スロット）から構成される。【０００６】
下りリンク制御チャネルと下りリンク共有データチャネルを時間多重したサブフレーム（以下、「ユニキャストサブフレーム」という）では、１個の物理リソースブロックＰＲＢは周波数領域において１２個のサブキャリアから構成され、時間領域において７個のＯＦＤＭシンボルから構成される。システム帯域幅は、基地局装置の通信帯域幅である。時間領域においては、７個のＯＦＤＭシンボルから構成されるスロット、２個のスロットから構成されるサブフレーム、１０個のサブフレームから構成される無線フレームがある。
なお、１個のサブキャリアと１個のＯＦＤＭシンボルから構成されるユニットをリソースエレメントと呼ぶ。また、下りリンク無線フレームでは周波数方向にシステム帯域幅に応じた複数の物理リソースブロックＰＲＢが配置される。下りリンク制御チャネルと、下りリンク共有データチャネルに替えてマルチキャストチャネルとを時間多重したＭＢＳＦＮサブフレーム（Multicast/Broadcast over Single Frequency Network Subframe；以下、「マルチキャストサブフレーム」という）の構成は後述する。【０００７】
各ユニキャストサブフレームには少なくとも、情報データとシステム情報の送信に用いる下りリンク共有データチャネル、制御データの送信に用いる下りリンク制御チャネルが配置される。
システム情報は、基地局装置と移動局装置が通信するのに必要な情報から構成されており、報知チャネルと下りリンク共有データチャネルで不特定多数の移動局装置に向かって周期的に送信される。なお、報知チャネルと下りリンク共有データチャネルに配置されるシステム情報の項目は異なり、報知チャネルに配置されるシステム情報は、システム帯域幅、下りリンクＨＡＲＱインディケータチャネルの設定情報、送信アンテナの数などから構成される。下りリンク共有データチャネルに配置されるシステム情報は、上りリンクと下りリンクの送信電力制御情報、隣接した基地局装置のサブフレームの設定情報、当該基地局装置（在圏基地局装置）のサブフレームの設定情報などから構成される。【０００８】
下りリンク共有データチャネルおよび下りリンク制御チャネルの伝播路推定に用いる下りリンクパイロットチャネルについては図１５においては図示せず、その配置の説明は後述する。図１５では、下りリンク制御チャネルはサブフレームの先頭から１番目と２番目と３番目のＯＦＤＭシンボルに配置され、下りリンク共有データチャネルはその他のＯＦＤＭシンボルに配置された場合を示しているが、下りリンク制御チャネルが配置されるＯＦＤＭシンボル数はサブフレーム単位で変化する。【０００９】
なお、図１５において図示は省略しているが、下りリンク制御チャネルを構成するＯＦＤＭシンボル数を示す制御フォーマットインディケータチャネルは１番目のＯＦＤＭシンボルの予め決められた周波数位置に配置される。下りリンク制御チャネルは１番目のＯＦＤＭシンボルのみに配置されたり、１番目と２番目のＯＦＤＭシンボルに配置されたり、１番目から３番目までのＯＦＤＭシンボルに亘って配置されたりする。制御フォーマットインディケータチャネルの配置の説明は後述する。また、同様に、図１５において図示は省略しているが、下りリンクＨＡＲＱインディケータチャネルは下りリンク制御チャネルが配置されるＯＦＤＭシンボルに配置される、つまり下りリンク制御チャネルと周波数多重される。なお、同一のＯＦＤＭシンボルにおいて下りリンク制御チャネルと下りリンク共有データチャネルは一緒に配置されない。ユニキャストサブフレームの下りリンク制御チャネルには、複数の上りリンク無線リソース割当情報、下りリンク無線リソース割当情報、送信電力コマンド情報などが配置される。下りリンク制御チャネルに配置される情報の詳細は後述する。【００１０】
＜ユニキャストサブフレームのパイロットチャネル＞
図１６は、ＥＵＴＲＡの下りリンクのユニキャストサブフレームにおける１物理リソースブロックＰＲＢペア内の下りリンクパイロットチャネルの配置を説明する図である（非特許文献１ 6.10.1節）。図１６において、横軸は時間軸、縦軸は周波数軸である。ここでは、基地局装置が４本の送信アンテナ（送信アンテナ１、送信アンテナ２、送信アンテナ３、送信アンテナ４）を有する場合について説明する。図１６において、符号Ｒ１が付されたリソースエレメントは送信アンテナ１から送信する下りリンクパイロットチャネルのリソースエレメントを表す。符号Ｒ２が付されたリソースエレメントは送信アンテナ２から送信する下りリンクパイロットチャネルのリソースエレメントを表す。符号Ｒ３が付されたリソースエレメントは送信アンテナ３から送信する下りリンクパイロットチャネルのリソースエレメントを表す。符号Ｒ４が付されたリソースエレメントは送信アンテナ４から送信する下りリンクパイロットチャネルのリソースエレメントを表す。【００１１】
なお、基地局装置が２本の送信アンテナのみを有する場合は、２番目のＯＦＤＭシンボルにおけるリソースエレメントＲ３とＲ４では下りリンク制御チャネルが送信され、９番目のＯＦＤＭシンボルにおけるリソースエレメントＲ３とＲ４では下りリンク共有データチャネルが送信される。
なお、本発明とは関連性がないため、報知チャネル、下りリンク同期チャネルに関する説明の詳細は省略するが、報知チャネル、下りリンク同期チャネルは、予め決められたサブフレームの予め決められたリソースエレメントに配置される。【００１２】
＜マルチキャストサブフレーム構成＞
図１７は、ＥＵＴＲＡの下りリンクにおけるマルチキャストサブフレームの概略構成を示す図である（非特許文献１6.5節、6.10.2節）。図１７において、横軸は時間軸、縦軸は周波数軸である。マルチキャストサブフレームにおいて１個の物理リソースブロックＰＲＢは周波数領域において１２個のサブキャリアから構成され、時間領域において６個のＯＦＤＭシンボルから構成される。時間領域においては、６個のＯＦＤＭシンボルからスロットが構成され、２個のスロットからサブフレームが構成される。【００１３】
各マルチキャストサブフレームには少なくとも、複数のマルチキャストのデータ（ＭＢＭＳ （Ｍｕｌｔｉｍｅｄｉａ  Ｂｒｏａｄｃａｓｔ／ＭｕｌｔｉｃａｓｔＳｅｒｖｉｃｅ）ｄａｔａ；以下、「マルチキャストデータ」という）の送信に用いるマルチキャストチャネル、制御データの送信に用いる下りリンク制御チャネルが配置される。ここで、マルチキャストデータとは、複数の移動局装置に宛てたデータを指す広義のマルチキャストデータであり、不特定多数の移動局装置に宛てたブロードキャストのデータおよび特定多数の移動局装置に宛てた狭義のマルチキャストのデータの総称である。以下、単にマルチキャストデータというときは、広義のマルチキャストデータを指す。マルチキャストチャネルおよび下りリンク制御チャネルのチャネル推定に用いる下りリンクパイロットチャネルについては図１７においては図示せず、その配置の説明は後述する。図１７では、下りリンク制御チャネルはサブフレームの先頭から１番目と２番目のＯＦＤＭシンボルに配置され、マルチキャストチャネルはその他のＯＦＤＭシンボルに配置された場合を示しているが、下りリンク制御チャネルが配置されるＯＦＤＭシンボル数はサブフレーム単位で変化する。【００１４】
マルチキャストサブフレームにおいて、マルチキャストサブフレームを構成するＯＦＤＭシンボル数はユニキャストサブフレームを構成するＯＦＤＭシンボル数よりも少ないが、マルチキャストチャネルの配置されるＯＦＤＭシンボル長はユニキャストサブフレームのＯＦＤＭ長に比べて長くなっており、マルチキャストサブフレームとユニキャストサブフレームのスロットの時間長は同じになる。しかし、マルチキャストサブフレームの下りリンク制御チャネル（斜線ハッチング部）が配置されるＯＦＤＭシンボルの長さは、ユニキャストサブフレームの下りリンク制御チャネルのＯＦＤＭシンボル長と同じである。従って、マルチキャストサブフレームとユニキャストサブフレームの時間長を同じにするために、マルチキャストサブフレームでは下りリンク制御チャネルのＯＦＤＭシンボルとマルチキャストチャネルのＯＦＤＭシンボルの間に予備のサンプル（網掛けハッチング部）を配置する。例えば予備のサンプルとして「０」を配置してもよい。【００１５】
なお、図１７において図示は省略しているが、下りリンク制御チャネルを構成するＯＦＤＭシンボル数を示す制御フォーマットインディケータチャネルは１ＯＦＤＭシンボル目の予め決められた周波数位置に配置される。下りリンク制御チャネルは１番目のＯＦＤＭシンボルのみに配置されたり、１番目と２番目のＯＦＤＭシンボルに配置されたりする。
ユニキャストサブフレームと違いマルチキャストサブフレームにおいては、３番目のＯＦＤＭシンボルには下りリンク制御チャネルが配置されない。【００１６】
また、同様に、図１７において図示は省略しているが、下りリンクＨＡＲＱインディケータチャネルは下りリンク制御チャネルが配置されるＯＦＤＭシンボルに配置される、つまり下りリンク制御チャネルと周波数多重される。
なお、同一のＯＦＤＭシンボルにおいて下りリンク制御チャネルとマルチキャストチャネルは一緒に配置されない。マルチキャストサブフレームの下りリンク制御チャネルは、上りリンク無線リソース割当情報、送信電力コマンド情報などが配置され、下りリンク無線リソース割当情報は配置されない。下りリンク制御チャネルに配置される情報の詳細は後述する。【００１７】
＜マルチキャストサブフレームのパイロットチャネル＞
図１８は、ＥＵＴＲＡの下りリンクのマルチキャストサブフレームにおける１物理リソースブロックＰＲＢペア内の下りリンクパイロットチャネルの配置を説明する図である（非特許文献１ 6.10.2節）。図１８において、横軸は時間軸、縦軸は周波数軸である。ここでは、基地局装置が５本の送信アンテナ（送信アンテナ１、送信アンテナ２、送信アンテナ３、送信アンテナ４、送信アンテナ５）を有する場合について説明する。図１８において、符号Ｒ１が付されたリソースエレメントは送信アンテナ１から送信する下りリンクパイロットチャネルのリソースエレメントを表す。符号Ｒ２が付されたリソースエレメントは送信アンテナ２から送信する下りリンクパイロットチャネルのリソースエレメントを表す。符号Ｒ３が付されたリソースエレメントは送信アンテナ３から送信する下りリンクパイロットチャネルのリソースエレメントを表す。符号Ｒ４が付されたリソースエレメントは送信アンテナ４から送信する下りリンクパイロットチャネルのリソースエレメントを表す。符号Ｒ５が付されたリソースエレメントは送信アンテナ５から送信する下りリンクパイロットチャネルのリソースエレメントを表す。【００１８】
リソースエレメントＲ１とＲ２とＲ３とＲ４は下りリンク制御チャネルを構成するＯＦＤＭシンボルに配置され、その配置はユニキャストサブフレームと同じであり、下りリンク制御チャネルの伝播路補償に使われる。リソースエレメントＲ５はマルチキャストチャネルを構成するＯＦＤＭシンボルに配置され、マルチキャストチャネルの伝播路補償に使われる。
図１８においては、下りリンク制御チャネルは送信アンテナ１から４を使って送信しているため、下りリンク制御チャネルの伝播路を補償するにはリソースエレメントＲ１とＲ２とＲ３とＲ４が必要なので、下りリンク制御チャネルは必ず１番目と２番目の両方に配置される。
なお、基地局装置が有する送信アンテナが、３本の場合は、２本の送信アンテナで下りリンク制御チャネルを送信し、残りの1本の送信アンテナでマルチキャストチャネルを送信する。このように、下りリンク制御チャネルを２本の送信アンテナで送信するときは、２番目のＯＦＤＭシンボルにおけるリソースエレメントＲ３とＲ４では下りリンク制御チャネルが送信される。【００１９】
＜マルチキャスト＞
ＥＵＴＲＡにおいて、基地局装置が不特定多数の移動局装置に向かってデータを送信するマルチメディアブロードキャスト／マルチキャストサービス（Ｍｕｌｔｉｍｅｄｉａ  Ｂｒｏａｄｃａｓｔ／ＭｕｌｔｉｃａｓｔＳｅｒｖｉｃｅ：以下「マルチキャスト」という）が提案されている（非特許文献２ 15節）。
また、マルチキャストにおいて、１つの基地局装置が不特定多数の移動局装置に向かってデータを送信するシングルセル送信と、複数の同期した基地局装置から不特定多数の移動局装置に向かって同時に同じデータを送信するマルチセル送信が提案されている。マルチセル送信は以下の特徴を有する。【００２０】
（１）複数の基地局装置で同期をとり、同時に同一の周波数でマルチキャスト（またはブロードキャスト）をするＭＢＳＦＮエリア（以下、「マルチキャストエリア」という）を構成する。
（２）マルチキャストエリア内の複数の基地局装置が、不特定多数の移動局装置に向かって同時に同じマルチキャストデータを送信する。
（３）移動局装置は、複数の基地局装置から同時に送信されたマルチキャストデータを合成することができる。
（４）マルチキャストデータはマルチキャストサブフレームのマルチキャストチャネルで送信する。
（５）各基地局装置において、マルチキャストチャネルは１本のアンテナから送信される。
なお、本発明とは関連性が少ないためシングルセル送信の説明は省略する。【００２１】
＜マルチキャスト専用セルとマルチキャスト／ユニキャスト  ミックスセル＞
マルチセル送信を行う基地局装置において、マルチキャスト専用の周波数帯でマルチキャストサブフレームのみの送信をする基地局装置のセル（MBMS dedicated cell）と、マルチキャストサブフレームとユニキャストサブフレームとを時間多重して送信する基地局装置のセル（MBMS/unicast mixed cell；以下、「マルチキャスト／ユニキャスト ミックスセル」という）がある（非特許文献２  １５．２節）。
図１９は、マルチセル送信をするマルチキャスト／ユニキャスト ミックスセルの無線フレームの概略構成を示す図である。図１９において、横軸は時間軸、縦軸は周波数軸である。無線フレームの１番目、４〜６番目、８番目のサブフレームがユニキャストサブフレームであり、残りがマルチキャストサブフレームである。マルチセル送信をするマルチキャスト／ユニキャスト ミックスセルの無線フレームは以下の特徴を有する。【００２２】
（１）マルチキャストサブフレームとユニキャストサブフレームは時間多重される。
（２）マルチキャストデータはマルチキャストサブフレームのマルチキャストチャネルで送信される。
（３）情報データとシステム情報はユニキャストサブフレームで送信され、情報データは下りリンク共有データチャネルで、システム情報は下りリンク共有データチャネルと報知チャネルで送信される。
（４）無線フレームの1番目と６番目のサブフレームは常にユニキャストサブフレームであり、少なくとも同期チャネルが送信される。
なお、本発明とは関連性が少ないためマルチキャスト専用の周波数帯でマルチキャストサブフレームのみを送信をする基地局装置に関する説明は省略する。【００２３】
＜マルチキャストサブフレーム配置パターン＞
マルチセル送信を行う基地局装置において、マルチキャストサブフレームのために予約するサブフレームの配置の情報、すなわちマルチキャストサブフレームを配置可能なサブフレームを指定する情報（ＭＢＳＦＮ  ｓｕｂｆｒａｍｅ  ａｌｌｏｃａｔｉｏｎ  ｐａｔｔｅｒｎ（ＭＳＡＰ）；以下、「マルチキャストサブフレーム配置パターン」という（第三世代パートナーシッププロジェクトでは、ＭＢＳＦＮ  ｓｕｂｆｒａｍｅ  ｃｏｎｆｉｇｕｒａｔｉｏｎ（ＭＢＳＣ）やＭＢＳＦＮ  ｓｕｂｆｒａｍｅ  ａｌｌｏｃａｔｉｏｎ  ｓｉｇｎａｌｌｉｎｇなどと呼ばれることもある））が下りリンク共有データチャネルのシステム情報で送信される（非特許文献３）。【００２４】
図２０は、マルチセル送信のマルチキャスト／ユニキャスト ミックスセルのマルチキャストサブフレーム配置パターンを説明する図である。図２０において、横軸は時間軸、縦軸は周波数軸である。マルチキャストサブフレーム配置パターンはある周期におけるマルチキャストサブフレームのために予約するサブフレームの配置を示し、次の周期において、マルチキャストサブフレーム配置パターンが変更されなければ次のマルチキャストサブフレーム配置パターンの周期でも同じサブフレームがマルチキャストサブフレームとして予約される。ＥＵＴＲＡにおいて、マルチキャストサブフレーム配置パターンの周期は未定であるが、４０ｍｓから３２０ｍｓ（１サブフレーム＝１ｍｓであり、４０サブフレームから３２０サブフレーム）の間から１つに決定して仕様化することが決まっている（非特許文献４）。
例えば、マルチキャストサブフレーム配置パターンの周期が８０ｍｓ（８０サブフレーム）のときに、マルチキャストサブフレーム配置パターンをビットマップで表すには６４ビットが必要になる（無線フレーム（＝１０サブフレーム）の第１番目と第６番目のサブフレームはユニキャストサブフレームで固定のため８０ビットよりも１６ビット少ないビットで良い）。【００２５】
＜ダイナミックスケジューリング情報（dynamic scheduling information）＞ 
図２１は、マルチセル送信を行う基地局装置が送信するマルチキャストサブフレーム配置パターンで示された複数のサブフレームにおいて、マルチキャストチャネルに配置されるマルチキャストデータが送信されるサブフレームの情報（ｄｙｎａｍｉｃ  ｓｃｈｅｄｕｌｉｎｇ  ｉｎｆｏｒｍａｔｉｏｎ；以下、「ダイナミックスケジューリング情報」という）を説明する図である。図２１において、横軸は時間軸、縦軸は周波数軸である。ここでは、説明の簡略化のためにダイナミックスケジューリング情報とマルチキャストデータが配置されるマルチキャストチャネルのみを示し、下りリンク制御チャネル、下りリンク共有データチャネルなどその他のチャネルは図示しない。ダイナミックスケジューリング情報は斜線でハッチングされた四角で表し、マルチキャストデータはハッチング無しの四角で表す。
図２１において、ダイナミックスケジューリング情報はマルチキャストデータ１から５がどのサブフレームに配置されているかを示す。また、ダイナミックスケジューリング情報はマルチキャストデータ１と一つのサブフレーム内で多重されている。
なお、ダイナミックスケジューリング情報は以下の特徴を有する（非特許文献５）。
（１）１つ、または複数のマルチキャストデータが配置されているサブフレームを示す。
（２）マルチキャストデータとサブフレーム内で多重してもよい。
（３）マルチキャストサブフレーム配置パターンの周期中に複数のダイナミックスケジューリング情報が含まれてもよい。【００２６】
＜マルチキャストサブフレームを配置可能なサブフレーム（MBSFN subframe）のユニキャストサブフレームとしての再利用＞
マルチセル送信をするマルチキャスト／ユニキャスト ミックスセルにおいて、基地局装置がマルチキャストチャネルで送信するマルチキャストデータの一部を失った場合など、適用しているマルチキャストサブフレーム配置パターンにてマルチキャスト可能なデータ量よりマルチキャストデータが少ないときは、マルチキャストサブフレーム配置パターンにて指定されたマルチキャストサブフレームを配置可能なサブフレームのうち、その少ない分が影響を与えるサブフレームではマルチキャストデータを送信せずに、それをユニキャストサブフレームとすることが検討されている。
また、マルチキャストサブフレーム配置パターンでマルチキャストサブフレームを配置可能だと示されたサブフレームでマルチキャストのデータを送信していないことを移動局装置が検知する、または移動局装置に知らせる方法をサポートすることが検討されている（非特許文献２  １５．３．３節）。【００２７】
＜制御データフォーマット（DCI(Down link Control Information) format）＞ 下りリンク制御チャネルには複数の制御データが配置される。また、下りリンク制御チャネルに配置される制御データの種類には少なくとも以下の３つがある。
（１）１つの移動局装置に対する下りリンク共有データチャネルの無線リソース割当の制御データ（以下、「下りリンク無線リソース割当情報」という）。
（２）１つの移動局装置に対する上りリンク共有データチャネルの無線リソース割当の制御データ（以下、「上りリンク無線リソース割当情報」という）。
（３）１つの移動局装置に対する上りリンク共有データチャネルと上りリンク制御チャネルの送信電力の制御命令（以下、「送信電力コマンド」という）の集合からなる制御データ（以下、「送信電力コマンド情報」という）。
（非特許文献６  ５．３．３）。【００２８】
＜下りリンク無線リソース割当情報（DL(Down Link) assignment）＞ 下りリンク無線リソース割当情報は、下りリンク共有データチャネルの無線リソース割当ての情報、移動局識別子、変調方式、符号化率、再送パラメータ、上りリンク制御チャネルの送信電力コマンドが少なくとも１つずつ含まれる。さらに目的に応じて以下の３つに分類される。【００２９】
（１）下りリンク共有データチャネルの無線リソース割当ての情報のサイズが一番小さく、シングルインプットマルチプルアウトプット（Ｓｉｎｇｌｅ  Ｉｎｐｕｔ  Ｍｕｌｔｉｐｌｅ  Ｏｕｔｐｕｔ；以下、「ＳＩＭＯ」という）のための下りリンク無線リソース割当情報（以下、「下りリンク無線リソース割当情報１」という）。
（２）下りリンク共有データチャネルの無線リソース割当情報のサイズが下りリンク無線リソース割当情報１と比べて大きく、ＳＩＭＯのための下りリンク無線リソース割当情報（以下、「下りリンク無線リソース割当情報２」という）。
（３）下りリンク共有データチャネルの無線リソース割当情報のサイズが下りリンク無線リソース割当情報２と同じであり、変調方式、符号化率、再送パラメータが２つずつ含まれるマルチプルインプットマルチプルアウトプット（Ｍｕｌｔｉｐｌｅ  Ｉｎｐｕｔ  Ｍｕｌｔｉｐｌｅ  Ｏｕｔｐｕｔ；以下、「ＭＩＭＯ」という）のための下りリンク無線リソース割当情報（以下、「下りリンク無線リソース割当情報３」という）。
これら３つの下りリンク無線リソース割当情報を構成するビット数（サイズ）はそれぞれ異なる。また、マルチキャストサブフレームには下りリンク共有データチャネルは配置されないので、マルチキャストサブフレームの下りリンク制御チャネルには下りリンク無線リソース割当情報は配置されない。なお、下りリンク無線リソース割当情報に含まれる送信電力コマンドは、下りリンク共有データチャネルに対する受信応答信号を送信する際に用いる上りリンク制御チャネルの送信電力コマンドである。【００３０】
＜上りリンク無線リソース割当情報（UL(Up Link)assignment）＞ 
上りリンク無線リソース割当情報には、移動局識別子、上りリンク無線リソース割当情報、変調方式、符号化率、再送パラメータなどが含まれる。上りリンクと下りリンクのシステム帯域幅が同じ場合には、上りリンク無線リソース割当情報と下りリンク無線リソース割当情報１を構成するビット数（サイズ）は同じである。【００３１】
＜送信電力制御（TPC；Transmit Power Control）＞
送信電力コマンド情報には、複数の移動局装置に対する送信電力コマンドと移動局群識別子が含まれる。送信電力コマンド情報と上りリンク無線リソース割当情報を構成するビット数（サイズ）は同じである。【００３２】
＜符号化（Coding）＞
図２２は、下りリンク制御チャネルに配置される制御データを符号化する手順の一例を説明するフローチャートである（非特許文献６  ５．３．３節）。最初に、制御部から入力された制御データと誤り検出符号を多重する。誤り検出符号は予め決められた生成多項式を用いて制御データより生成される。次に、誤り検出符号を多重した制御データを畳み込み符号化する。
次に、畳み込み符号化した制御データをレートマッチングしてからＱＰＳＫ（Quadrature Phase Shift Keying；４値位相偏移変調）変調部へ出力する。レートマッチングの詳細は後述する。
次に、レートマッチング後の制御データをＱＰＳＫ変調し下りリンク制御チャネルのリソースエレメントにマッピングをする。ＱＰＳＫ変調後の制御データのサイズによって制御データがマッピングされる下りリンク制御チャネルのリソースエレメントの組み合わせは限定される。なお、基地局装置が送信ダイバーシチを用いて下りリンク制御チャネルを送信する場合は、ＱＰＳＫ変調後、送信ダイバーシチ処理を行って下りリンク制御チャネルのリソースエレメントにマッピングする。【００３３】
＜レートマッチング（Rate matching）＞
レートマッチングとは、畳み込み符号化した制御データのサイズと制御データをマッピングする下りリンク制御チャネルの物理リソースのサイズとを合わせるために、畳み込み符号化した制御データの繰り返し（ｒｅｐｅｔｉｔｉｏｎ）処理や間引き（ｐｕｎｃｔｕｒｅ）処理をして符号化率を変更することである。
ＥＵＴＲＡでは、レートマッチング後の制御データのサイズとして４つのサイズが検討されている。例えば、ＱＰＳＫ変調後に３６リソースエレメントと７２リソースエレメントと１４４リソースエレメントと２８８リソースエレメントのサイズになるようにレートマッチングをする。【００３４】
なお、異なる制御データのサイズを異なるサイズの物理リソースに対して合わせるための繰り返し処理または間引き処理をするべきパターンは異なる。つまり、下りリンク無線リソース割当情報２と上りリンク無線リソース割当情報などのサイズの違う制御データは異なるレートマッチングのパターンを用いる。
また、レートマッチング前の制御データのサイズが同じ制御データでもレートマッチング後の制御データのサイズを異なるようにして符号化率を変更する場合、異なるレートマッチングのパターンを用いる。【００３５】
＜総当り復号（Blind decoding）＞
図２３は下りリンク制御チャネルに配置される制御データを復号化する手順の一例を説明するフローチャートである。移動局装置はサブフレーム毎に、当該移動局装置宛の制御データが下りリンク制御チャネルに配置されているかを監視する。しかし、移動局装置は、当該移動局装置宛のどの項目の制御データがいくつあるか、何個のリソースエレメントのサイズにレートマッチングされたか、どのリソースエレメントにマッピングされたかを知らないので、可能性のあるリソースエレメントとレートマッチングとの組合せについて、総当りに復号を試行する総当り復号を行う。【００３６】
具体的には、移動局装置はまず、下りリンク制御チャネルを構成するリソースエレメント全てをＱＰＳＫ復調し（Ｓ１）、制御データがマッピングされた可能性のあるリソースエレメントの数、および配置の組合せを１つ選択し、リソースエレメントを抽出する（Ｓ２）。次に、可能性のあるレートマッチング前の制御データのサイズを１つ選択し、選択した制御データのサイズと抽出したリソースエレメントの数によって決まるレートマッチングの逆の処理（以下、「レートデマッチング」という）をする（Ｓ３）。【００３７】
次に、レートデマッチング後の制御データを畳み込み復号し（Ｓ４）、誤り検出符号を用いて誤り検出をする（Ｓ５）。ここでは、誤り検出の演算結果が、その制御データの宛先の移動局装置の識別番号となる誤り検出符号を用いている。
畳み込み復号後に誤りを検出しなかったとき、すなわち誤り検出の演算結果が、当該移動局装置の識別番号となったときは（Ｓ６−Ｎｏ）、移動局装置は、その制御データが当該移動局装置宛の制御データであると認識し、さらに該制御データの構成を見ることで該制御データが上りリンク無線リソース割当情報、下りリンク無線リソース割当情報または送信電力コマンド情報かを認識する（Ｓ７）。上りリンク無線リソース割当情報と下りリンク無線リソース割当情報と送信電力コマンド情報の全ての制御データを復号した場合（Ｓ８−Ｎｏ)、復号処理を終了する。【００３８】
上りリンク無線リソース割当情報と下りリンク無線リソース割当情報と送信電力コマンド情報のうち、まだ復号していない制御データがある場合（Ｓ８−Ｙｅｓ）、まだ試していない制御データがマッピングされたリソースエレメントの数、および配置の組合せとレートマッチング前の制御データのサイズを設定して（Ｓ９）、下りリンク制御チャネルからリソースエレメントを抽出するステップＳ２からの処理を繰り返す。【００３９】
ステップＳ５の誤り検出処理において、誤りを検出した場合（Ｓ６−Ｙｅｓ）、まだ試していない制御データがマッピングされたリソースエレメントの数、および配置の組合せとレートマッチング前の制御データのサイズがある場合は（Ｓ１０−Ｙｅｓ）、それらを設定して（Ｓ９）、下りリンク制御チャネルからリソースエレメントを抽出するステップＳ２からの処理を繰り返す。
また、全ての制御データがマッピングされたリソースエレメントの数、および配置の組合せとレートマッチング前の制御データのサイズについて制御データの復号処理をしていた場合にも（Ｓ１０−Ｎｏ）復号処理を終了する。
なお、基地局装置が送信ダイバーシチを用いて下りリンク制御チャネルを送信する場合は、送信ダイバーシチ合成処理を行った後、ステップＳ１のＱＰＳＫ復調を行う。
【先行技術文献】
【非特許文献】
【００４０】
【非特許文献１】３ＧＰＰ  ＴＳ３６．２１１‐ｖ８．１．０（２００７‐１１），Ｐｈｙｓｉｃａｌ  Ｃｈａｎｎｅｌｓ  ａｎｄ  Ｍｏｄｕｌａｔｉｏｎ（Ｒｅｌｅａｓｅ  ８）
【非特許文献２】３ＧＰＰ  ＴＳ３６．３００‐ｖ８．３．０（２００７‐１２），Ｏｖｅｒａｌｌ ｄｅｓｃｒｉｐｔｉｏｎ;Ｓｔａｇｅ ２（Ｒｅｌｅａｓｅ  ８）
【非特許文献３】３ＧＰＰ  ＴＳＧ  ＲＡＮ１  ＃５１ｂ，Ｓｅｖｉｌｌａ，Ｓｐａｉｎ，１４−１８  Ｊａｎｕａｒｙ，２００８，Ｒ１−０８０６２１“Ｐｈｙｓｉｃａｌ−ｌａｙｅｒ ｐａｒａｍｅｔｅｒｓ ｔｏ ｂｅ ｃｏｎｆｉｇｕｒｅｄ ｂｙ ＲＲＣ”
【非特許文献４】３ＧＰＰ  ＴＳＧ  ＲＡＮ２  ＃６１，Ｓｏｒｒｅｎｔｏ，Ｉｔａｌｙ，１１−１５  Ｆｅｂｒｕａｒｙ，２００８，Ｒ２−０８０７０８“ＬＳ ｒｅｓｐｏｎｓｅ ｏｎ Ｓｉｇｎａｌｉｎｇ ｏｆ ＭＢＳＦＮ Ｓｕｂｆｒａｍｅ Ａｌｌｏｃａｔｉｏｎ”
【非特許文献５】３ＧＰＰ  ＴＳＧ  ＲＡＮ２  ＃６１，Ｓｏｒｒｅｎｔｏ，Ｉｔａｌｙ，１１−１５  Ｆｅｂｒｕａｒｙ，２００８，Ｒ２−０８０８７５“ＭＢＭＳ  ｓｃｈｅｄｕｌｉｎｇ  ｉｎｆｏｒｍａｔｉｏｎ  ａｎｄ  ｐａｇｉｎｇ  ｏｃｃａｓｉｏｎ  ｒｅｌａｔｉｏｎｇ  ｔｏ  ＭＢＭＳ  ｓａｂｕｆｒａｍｅ  ａｌｌｏｃａｓｔｉｏｎ”
【非特許文献６】３ＧＰＰ  ＴＳ３６．２１２‐ｖ８．１．０（２００７‐１１），Ｍｕｌｔｉｐｌｅｘｉｎｇ ａｎｄ ｃｈａｎｎｅｌ ｃｏｄｉｎｇ(Ｒｅｌｅａｓｅ ８)
【発明の概要】
【発明が解決しようとする課題】
【００４１】
しかしながら、従来のＥＵＴＲＡにおいて、移動局装置は、下りリンク制御チャネルに、当該移動局装置宛のどの項目の制御データがいくつあるか、何個のリソースエレメントのサイズにレートマッチングされたか、どのリソースエレメントにマッピングされたかを認識することができないので、可能性のあるリソースエレメントとレートマッチングとの組合せについて、総当りに復号を試行する総当り復号を行うため、下りリンク制御チャネルの受信にかかわる処理負荷が重いという問題がある。【００４２】
本発明は、このような事情に鑑みてなされたもので、その目的は、下りリンク制御チャネルの受信にかかわる処理負荷を抑制することができる無線通信システム、移動局装置、および無線受信方法を提供することにある。
【課題を解決するための手段】
【００４３】
（１）この発明は上述した課題を解決するためになされたもので、本発明の無線通信システムは、第一種のデータを配置する第一種サブフレームと第二種のデータを配置する第二種サブフレームとを時間多重して送信する基地局装置と、前記基地局装置が送信したサブフレームから自装置宛ての信号を受信する複数の移動局装置とを具備する無線通信システムにおいて、前記基地局装置は、前記サブフレーム各々の種別を決定する無線リソース制御部と、配置される前記サブフレームの種別に応じた項目からなる制御データの信号を生成する制御信号生成部と、前記第一種サブフレームを配置可能なサブフレームを指定する情報であって予め保持している第一種サブフレーム候補情報により指定されたサブフレームのうち、前記第一種サブフレームとするサブフレームを示すダイナミックスケジューリング情報の信号を生成するダイナミックスケジューリング情報信号生成部と、前記制御データの信号を前記第一種サブフレームと前記第二種サブフレームとに配置し、前記ダイナミックスケジューリング情報の信号を前記第一種サブフレームに配置する多重部と、前記多重部による多重結果の信号を送信する送信部とを具備し、前記移動局装置は、前記基地局装置から送信された信号を受信する受信部と、前記受信した信号から前記ダイナミックスケジューリング情報を検出するダイナミックスケジューリング情報検出部と、予め保持している前記第一種サブフレーム候補情報と、前記ダイナミックスケジューリング情報とに基づき、前記受信した信号のサブフレーム各々の種別を判定するフレーム種別判定部と、前記受信した信号のサブフレーム各々に対して、前記フレーム種別判定部の判定結果が示す種別に対応する項目の前記制御データの検出処理を行なう制御データ検出部とを具備することを特徴とする。【００４４】
（２）また、本発明の無線通信システムは、上述の無線通信システムであって、前記第一種のデータは、複数の前記移動局装置に宛てたブロードキャストまたはマルチキャストのデータであり、前記第二種のデータは、一つの前記移動局装置に宛てたユニキャストのデータであることを特徴とする。【００４５】
（３）また、本発明の無線通信システムは、上述の無線通信システムであって、前記ダイナミックスケジューリング情報は、前記第一種サブフレーム候補情報により指定されたサブフレームに配置され、配置されたサブフレーム以降の前記第一種サブフレーム候補情報により指定されたサブフレームのうち、前記第一種サブフレームとするサブフレームを示すことを特徴とする。【００４６】
（４）また、本発明の無線通信システムは、上述の無線通信システムであって、前記第一種サブフレーム候補情報は、予め決められた周期内のサブフレーム群について、前記第一種サブフレームを配置可能なサブフレームを指定する情報であり、前記ダイナミックスケジューリング情報は、前記周期内に一つまたは複数配置され、前記周期内に配置され、連続した第一種のデータからなるデータ列各々が配置されるサブフレームを指定することを特徴とする。【００４７】
（５）また、本発明の無線通信システムは、上述の無線通信システムであって、前記制御データ検出部は、前記フレーム種別判定部の判定結果が示す種別に対応する項目の前記制御データの検出処理を行なう際に、前記項目に応じたデータサイズを用いることを特徴とする。【００４８】
（６）また、本発明の無線通信システムは、上述の無線通信システムであって、前記判定結果が示す種別に対応する項目は、前記判定結果が示す種別が第一種サブフレームのときは、上りリンクの無線リソース割当情報および上りリンクの送信電力コマンド情報であることを特徴とする。【００４９】
（７）また、本発明の無線通信システムは、上述の無線通信システムであって、前記判定結果が示す種別に対応する項目は、前記判定結果が示す種別が第二種サブフレームのときは、下りリンクの無線リソース割当情報を少なくとも含むことを特徴とする。【００５０】
（８）また、本発明の無線通信システムは、上述の無線通信システムであって、前記判定結果が示す種別に対応する項目は、前記判定結果が示す種別が第二種サブフレームのときは、さらに、上りリンクの無線リソース割当情報および上りリンクの送信電力コマンド情報を含むことを特徴とする。【００５１】
（９）また、本発明の移動局装置は、第一種のデータを配置する第一種サブフレームと第二種のデータを配置する第二種サブフレームとが時間多重された信号であって、配置されるサブフレームの種別に応じた項目からなる制御データが前記第一種サブフレームと前記第二種サブフレームとに配置された信号から自装置宛ての信号を受信する移動局装置において、前記時間多重された信号を受信する受信部と、前記第一種サブフレームを配置可能なサブフレームを指定する情報であって予め保持している第一種サブフレーム候補情報により指定されたサブフレームのうち、前記第一種サブフレームとするサブフレームを示すダイナミックスケジューリング情報を、前記受信した信号から検出するダイナミックスケジューリング情報検出部と前記第一種サブフレーム候補情報と、前記ダイナミックスケジューリング情報とに基づき、前記受信した信号のサブフレーム各々の種別を判定するフレーム種別判定部と、前記受信した信号のサブフレーム各々に対して、前記フレーム種別判定部の判定結果が示す種別に対応する項目の制御データの検出処理を行なう制御データ検出部とを具備することを特徴とする。【００５２】
（１０）また、本発明の無線受信方法は、第一種のデータを配置する第一種サブフレームと第二種のデータを配置する第二種サブフレームとが時間多重された信号であって、配置されるサブフレームの種別に応じた項目からなる制御データが前記第一種サブフレームと前記第二種サブフレームとに配置された信号から自装置宛ての信号を受信する移動局装置における無線受信方法において、前記移動局装置が、前記時間多重された信号を受信する第１の過程と、前記移動局装置が、前記第一種サブフレームを配置可能なサブフレームを指定する情報であって予め保持している第一種サブフレーム候補情報により指定されたサブフレームのうち、前記第一種サブフレームとするサブフレームを示すダイナミックスケジューリング情報を、前記第１の過程にて受信した信号から検出する第２の過程と、前記移動局装置が、前記第一種サブフレーム候補情報と、前記ダイナミックスケジューリング情報とに基づき、前記受信した信号のサブフレーム各々の種別を判定する第３の過程と、前記移動局装置が、前記受信した信号のサブフレーム各々に対して、前記第３の過程による判定結果が示す種別に対応する項目の制御データの検出処理を行なう第４の過程とを備えることを特徴とする。
【発明の効果】
【００５３】
この発明によれば、第一種サブフレーム候補情報と、ダイナミックスケジューリング情報とに基づき、受信した信号のサブフレーム各々の種別を判定し、判定結果が示す種別に対応する項目の制御データの検出処理を行なうので、制御データの受信にかかわる処理負荷を抑制することができる。
【図面の簡単な説明】
【００５４】
【図１】この発明の一実施形態による無線通信システムのチャネルの概略構造を示す図である。
【図２】同実施形態における基地局装置１から移動局装置２への下りリンク無線フレーム（無線リソース）の概略構成例を示す図である。
【図３】同実施形態におけるユニキャストサブフレームの概略構成を示す図である。
【図４】同実施形態におけるマルチキャストサブフレームの概略構成を示す図である。
【図５】同実施形態における、ダイナミックスケジューリング情報を説明する図である。
【図６】同実施形態における基地局装置１の構成を示す概略ブロック図である。
【図７】同実施形態における基地局装置１の送信処理部１３の内部構成を示す概略ブロック図である。
【図８】同実施形態における下りリンク制御チャネル処理部３３の符号部３３１の内部構成を示すブロック図である。
【図９】同実施形態におけるマルチキャストサブフレーム配置パターンと本実施形態におけるダイナミックスケジューリング情報との組合せを説明する図である。
【図１０】同実施形態における移動局装置２の構成を示す概略ブロック図である。
【図１１】同実施形態における移動局装置２の受信処理部２２の内部構成を示す概略ブロック図である。
【図１２】同実施形態における移動局装置１の復号部２３４の内部構成を示すブロック図である。
【図１３】同実施形態における移動局装置２の信号判断部２１１の動作の例を説明するフローチャートである。
【図１４】同実施形態における移動局装置２のレートデマッチング部２３６の動作の例を説明するフローチャートである。
【図１５】従来のＥＵＴＲＡにおける下りリンク無線フレームの概略構成を示す図である。
【図１６】従来のＥＵＴＲＡの下りリンクのユニキャストサブフレームにおける１物理リソースブロックＰＲＢペア内の下りリンクパイロットチャネルの配置を説明する図である。
【図１７】従来のＥＵＴＲＡの下りリンクにおけるマルチキャストサブフレームの概略構成を示す図である。
【図１８】従来のＥＵＴＲＡの下りリンクのマルチキャストサブフレームにおける１物理リソースブロックＰＲＢペア内の下りリンクパイロットチャネルの配置を説明する図である。
【図１９】従来のＥＵＴＲＡにおけるマルチセル送信をするマルチキャスト／ユニキャスト ミックスセルの無線フレームの概略構成を示す図である。
【図２０】従来のＥＵＴＲＡにおけるマルチセル送信のマルチキャスト／ユニキャスト ミックスセルのマルチキャストサブフレーム配置パターンを説明する図である。
【図２１】従来のＥＵＴＲＡにおけるダイナミックスケジューリング情報を説明する図である。
【図２２】従来のＥＵＴＲＡにおける下りリンク制御チャネルに配置される制御データを符号化する手順の一例を説明するフローチャートである。
【図２３】従来のＥＵＴＲＡにおける下りリンク制御チャネルに配置される制御データを復号化する手順の一例を説明するフローチャートである。
【発明を実施するための形態】
【００５５】
以下、図面を参照し、本発明の実施形態について説明する。本実施形態による無線通信システムは、複数の基地局装置１と、該基地局装置１が送信した信号を受信する複数の移動局装置２とを具備する。
図１は、本実施形態の無線通信システムにおけるチャネルの概略構造を示す図である。基地局装置１から移動局装置２への無線通信の下りリンクは、下りリンクパイロットチャネル、下りリンク同期チャネル、報知チャネル、下りリンク制御チャネル、下りリンク共有データチャネル、制御フォーマットインディケータチャネル、下りリンクＨＡＲＱ（Hybrid Automatic Repeat reQuest）インディケータチャネル、マルチキャストチャネルより構成されている。
また、移動局装置２から基地局装置１への無線通信の上りリンクは、上りリンクパイロットチャネルと、ランダムアクセスチャネルと、上りリンク制御チャネルと、上りリンク共有データチャネルとにより構成されている。
【００５６】
＜無線フレーム＞
図２は、本実施形態における基地局装置１から移動局装置２への下りリンク無線フレーム（無線リソース）の概略構成例を示す図である。図２において、横軸は時間軸、縦軸は周波数軸である。下りリンク無線フレームは、集中（Ｌｏｃａｌｉｚｅｄ）送信の際の各移動局装置２への無線リソース割り当てなどの単位であり、予め決められた幅の周波数帯および時間帯からなるＰＲＢ（Ｐｈｙｓｉｃａｌ  Ｒｅｓｏｕｒｃｅ  Ｂｌｏｃｋ：物理リソースブロック）ペアから構成されている。基本的に１物理リソースブロックＰＲＢペアは時間領域で連続する２個の物理リソースブロックＰＲＢから構成される。
【００５７】
システム帯域幅は、基地局装置１の通信帯域幅であり、下りリンク無線フレームでは周波数方向にシステム帯域幅に応じた複数の物理リソースブロックＰＲＢが配置される。時間領域においては、２個のスロットから構成されるサブフレーム（時間フレーム）、１０個のサブフレームから構成される無線フレームがある。また、マルチキャスト（ＭＢＭＳ；Multimedia Broadcast/Multicast Service）データ（第一種のデータ）が配置されるマルチキャストチャネルを構成するマルチキャスト（ＭＢＳＦＮ；Multicast/Broadcast over Single Frequency Network Subframe）サブフレーム（第一種サブフレーム）と、情報データ（第二種のデータ）やシステム情報が配置される下りリンク共有データチャネルを構成するユニキャストサブフレーム（第二種サブフレーム）が時間多重される。ここで、マルチキャストデータとは、広義のマルチキャストデータであり、不特定多数の移動局装置２に宛てたブロードキャストのデータおよび特定多数の移動局装置２に宛てた狭義のマルチキャストのデータの総称である。
【００５８】
＜ユニキャストサブフレーム＞
図３は、本実施形態におけるユニキャストサブフレームの概略構成を示す図である。図３において、横軸は時間軸、縦軸は周波数軸である。ユニキャストサブフレームにおいては、１個の物理リソースブロックＰＲＢは周波数領域において１２個のサブキャリアから構成され、時間領域において７個のＯＦＤＭシンボルから構成される。
各ユニキャストサブフレームには少なくとも、情報データとシステム情報の送信に用いる下りリンク共有データチャネル、制御データの送信に用いる下りリンク制御チャネルが配置される。下りリンク共有データチャネルおよび下りリンク制御チャネルのチャネル推定に用いる下りリンクパイロットチャネルについては図３において図示は省略する。図３では、下りリンク制御チャネルは、斜線でハッチングされた四角で示すサブフレームの１番目と２番目と３番目のＯＦＤＭシンボルに配置され、下りリンク共有データチャネルは、ハッチング無しの四角で示すその他のＯＦＤＭシンボルに配置された場合を示しているが、下りリンク制御チャネルが配置されるＯＦＤＭシンボルはサブフレーム単位で変化する。
【００５９】
なお、図３において図示は省略しているが、下りリンク制御チャネルを構成するＯＦＤＭシンボル数を示す制御フォーマットインディケータチャネルは１ＯＦＤＭシンボル目の予め決められた周波数位置に配置される。下りリンク制御チャネルは１番目のＯＦＤＭシンボルのみに配置されたり、１番目と２番目のＯＦＤＭシンボルに配置されたり、１番目から３番目までのＯＦＤＭシンボルに亘って配置されたりする。また、同様に、図３において図示は省略しているが、下りリンクＨＡＲＱインディケータチャネルは下りリンク制御チャネルが配置されるＯＦＤＭシンボルに配置される、つまり下りリンク制御チャネルと周波数多重される。なお、同一のＯＦＤＭシンボルにおいて下りリンク制御チャネルと下りリンク共有データチャネルは一緒に配置されない。ユニキャストサブフレームの下りリンク制御チャネルには、少なくとも下りリンク無線リソース割当情報が配置され、本実施形態では下りリンク無線リソース割当情報に加えて、複数の上りリンク無線リソース割当情報、送信電力コマンド情報が配置される。
【００６０】
＜マルチキャストサブフレーム＞
図４は、本実施形態におけるマルチキャストサブフレームの概略構成を示す図である。図４において、横軸は時間軸、縦軸は周波数軸である。マルチキャストサブフレームにおいては、１個の物理リソースブロックＰＲＢは周波数領域において１２個のサブキャリアから構成され、時間領域において６個のＯＦＤＭシンボルから構成される。時間領域においては、６個のＯＦＤＭシンボルからスロットが構成され、２個のスロットからサブフレームが構成される。
各マルチキャストサブフレームには、少なくともマルチキャストデータの送信に用いるマルチキャストチャネルが配置される。マルチキャストチャネルおよび下りリンク制御チャネルのチャネル推定に用いる下りリンクパイロットチャネルについては図４においては図示を省略する。図４では、下りリンク制御チャネルは、ハッチングされた四角で示すサブフレームの１番目と２番目のＯＦＤＭシンボルに配置され、下りリンク共有データチャネルは、ハッチング無しの四角で示すその他のＯＦＤＭシンボルに配置された場合を示しているが、下りリンク制御チャネルが配置されるＯＦＤＭシンボルはサブフレーム単位で変化する。
【００６１】
マルチキャストサブフレームにおいて、マルチキャストサブフレームを構成するＯＦＤＭシンボル数はユニキャストサブフレームを構成するＯＦＤＭシンボル数よりも少ないが、マルチキャストチャネルの配置されるＯＦＤＭシンボルの長さはユニキャストサブフレームのＯＦＤＭ長に比べて長くなっており、マルチキャストサブフレームとユニキャストサブフレームのスロットの時間長は同じになる。しかし、マルチキャストサブフレームの下りリンク制御チャネルが配置されるＯＦＤＭシンボル（斜線ハッチング部）の長さは、ユニキャストサブフレームの下りリンク制御チャネルのＯＦＤＭシンボル長と同じであるため、マルチキャストサブフレームとユニキャストサブフレームの時間長を同じにするために、マルチキャストサブフレームでは下りリンク制御チャネルのＯＦＤＭシンボルとマルチキャストチャネルのＯＦＤＭシンボルの間に予備のサンプル（網掛けハッチング部）を配置する。
【００６２】
なお、図４において図示は省略しているが、下りリンク制御チャネルを構成するＯＦＤＭシンボル数を示す制御フォーマットインディケータチャネルは１ＯＦＤＭシンボル目の予め決められた周波数位置に配置される。下りリンク制御チャネルは１番目のＯＦＤＭシンボルのみに配置されたり、１番目と２番目のＯＦＤＭシンボルに配置されたりする。また、同様に、図４において図示は省略しているが、下りリンクＨＡＲＱインディケータチャネルは下りリンク制御チャネルが配置されるＯＦＤＭシンボルに配置される、つまり下りリンク制御チャネルと周波数多重される。
なお、同一のＯＦＤＭシンボルにおいて下りリンク制御チャネルとマルチキャストチャネルは一緒に配置されない。マルチキャストサブフレームの下りリンク制御チャネルには、複数の上りリンク無線リソース割当情報と送信電力コマンド情報が配置される。
【００６３】
＜ダイナミックスケジューリング情報＞
図５は、本実施形態におけるダイナミックスケジューリング情報（dynamic scheduling information）を説明する図である。図５において、横軸は時間軸、縦軸は周波数軸である。ここでは、説明の簡略化のためにダイナミックスケジューリング情報とマルチキャストデータが配置されるマルチキャストチャネルのみを示し、下りリンク制御チャネル、下りリンク共有データチャネルなど、その他のチャネルは図示しない。ダイナミックスケジューリング情報は斜線でハッチングされた四角で表し、マルチキャストデータはハッチング無しの四角で表す。
【００６４】
マルチキャストサブフレーム配置パターンは、予め決められた周期内のサブフレーム群について、マルチキャストサブフレームを配置可能なサブフレームを指定する情報である（詳細は後述する）。ダイナミックスケジューリング情報は、マルチキャストサブフレーム配置パターンの周期内に一つまたは複数配置され、マルチキャストサブフレーム配置パターンにより指定されたサブフレームのうち、連続したマルチキャストデータからなるデータ列（図５の例ではマルチキャストデータ１から５の各々）が配置されるサブフレーム、すなわちマルチキャストサブフレームとするサブフレームを示す。なお、マルチキャストサブフレーム配置パターンは、外部から基地局装置１に入力され、保持される。
【００６５】
ダイナミックスケジューリング情報は、例えば、マルチキャストデータ１を示す情報と、マルチキャストサブフレーム配置パターンで指定された１つ目のサブフレームを示す情報とを対応付けて格納し、マルチキャストデータ２を示す情報と、マルチキャストサブフレーム配置パターンで指定された２つ目のサブフレームを示す情報とを対応付けて格納し、その他のマルチキャストデータ３〜５も同様にしてサブフレームを示す情報とを対応付けて格納する。なお、マルチキャストデータ１〜５に対応付けて格納する情報は、サブフレームを示す情報だけでなく、マルチキャストデータ１〜５の大きさ、または、サブフレーム内での位置を示す情報も格納するようにしてもよい。
【００６６】
ここでマルチキャストデータ１〜５は、各々が１つのサービスに割当てられた連続したマルチキャストデータを示す。例えば、マルチキャストデータ１〜３の各々は、１つの映像ストリームサービスの映像データであり、マルチキャストデータ４、５の各々は、１つの音声ストリームサービスの音声データである。また、ダイナミックスケジューリング情報はマルチキャストデータ１とサブフレーム内で多重されている。
なお、ダイナミックスケジューリング情報は以下の特徴を有する。
（１）１つ、または複数のマルチキャストデータが配置されているサブフレームを示す。
（２）マルチキャストデータとサブフレーム内で多重してもよい。
（３）マルチキャストサブフレーム配置パターンの周期中に複数のダイナミックスケジューリング情報が含まれてもよい。
【００６７】
＜基地局装置１の概要＞
本実施形態の基地局装置１は、マルチキャストデータを配置するマルチキャストサブフレームと、ユニキャストデータを配置するユニキャストサブフレームとを時間多重して送信する。基地局装置１は、ユニキャストサブフレーム内の下りリンク共有データチャネルにシステム情報を配置して送信する。このシステム情報には、マルチキャストサブフレームを送信するタイミングの情報であり、外部から入力される情報であるマルチキャストサブフレーム配置パターン（第一種サブフレーム候補情報）が含まれる。さらに、基地局装置１は、マルチキャストサブフレーム配置パターンで示したサブフレームのうち、１つまたは複数のマルチキャストデータを配置するサブフレームを示すダイナミックスケジューリング情報を送信する。基地局装置１は、マルチキャストサブフレーム配置パターンで示したサブフレームにおいて、送信すべきマルチキャストデータがない場合、またはマルチキャストデータの一部を失った場合には、そのサブフレームをユニキャストサブフレームとして情報データを配置して送信する。
【００６８】
＜基地局装置１のブロック図＞
図６は、本発明の実施形態における基地局装置１の構成を示す概略ブロック図である。
図６に示すように、基地局装置１は、無線リソース制御部１０、制御部１１、受信処理部１２、送信処理部１３を具備する。無線リソース制御部１０は、移動局装置２との間欠送受信サイクル、変調方式・符号化率、送信電力、下りリンク共有データチャネルの無線リソース割り当て、マルチキャストサブフレームとユニキャストサブフレームとの配置、下りリンク制御チャネルを構成するＯＦＤＭシンボル数、下りリンク制御チャネルや下りリンク共有データチャネルやマルチキャストチャネルなどの多重などを管理する。無線リソース制御部１０は、これら管理内容を指示する制御信号を制御部１１に出力すると共に、制御部１１、送信処理部１３を通して移動局装置２に制御データ、システム情報あるいはダイナミックスケジューリング情報を通知する。マルチキャストとユニキャストとの配置については、無線リソース制御部１０は、外部からマルチキャストサブフレーム配置パターンを受けて、該マルチキャストサブフレーム配置パターンと送信するマルチキャストデータのデータ量とに基づき、サブフレーム各々をマルチキャストサブフレームとユニキャストサブフレームとのいずれの種別にするかを決定する。
【００６９】
制御部１１は、無線リソース制御部１０から入力された制御信号に基づいて送信処理部１３と受信処理部１２の制御を行うために、送信処理部１３と受信処理部１２に制御信号を出力する。制御部１１は、送受信信号の変調方式、符号化率の設定、下りリンク制御チャネルを構成するＯＦＤＭシンボル数の設定、各チャネルのリソースエレメントへの配置設定、マルチキャストサブフレーム配置パターンに応じたマルチキャストサブフレームとユニキャストサブフレームの配置、下りリンクパイロットチャネルの生成などの制御を、送信処理部１３および受信処理部１２に対して行う。また、制御部１１は、下りリンク制御チャネルに配置する制御データを生成し、送信処理部１３に送信を指示する。また、制御部１１は、マルチキャストサブフレーム配置パターンなど、下りリンク共有データチャネルに配置するシステム情報を生成し、送信処理部１３に情報データと共にデータとして送信を行うように指示する。さらに、制御部１１は、マルチキャストチャネルに配置する情報を生成し、送信処理部１３に送信を指示する。
【００７０】
送信処理部１３は、制御部１１からの入力に基づき、下りリンク制御チャネル、下りリンク共有データチャネル、マルチキャストチャネル、下りリンクパイロットチャネル、制御フォーマットインディケータチャネルを生成し、各チャネルを下りリンク無線フレームに多重し、複数の、例えば４つの送信アンテナを介して、各移動局装置２に送信する。なお、本発明とは直接の関連がないため、報知チャネル、下りリンク同期チャネル、下りリンクＨＡＲＱインディケータチャネルに関する処理の説明は省略する。
【００７１】
受信処理部１２は、制御部１１からの入力に基づき、各移動局装置２が送信した上りリンク制御チャネル、上りリンク共有データチャネル、上りリンクパイロットチャネル、ランダムアクセスチャネルの受信を受信アンテナを介して行う。なお、本発明とは直接の関連がないため、上りリンクに関する処理の説明は省略する。
【００７２】
＜基地局装置１の送信処理部１３のブロック図＞
図７は、本実施形態における基地局装置１の送信処理部１３の内部構成を示す概略ブロック図である。基地局装置１の送信処理部１３は、複数の下りリンク共有データチャネル処理部３１と、マルチキャストチャネル処理部３２と、複数の下りリンク制御チャネル処理部３３と、参照信号（下りリンクパイロットチャネル）生成部３４と、制御フォーマットインディケータ信号生成部３５と、多重部３６と、送信アンテナ毎にアンテナ毎送信処理部３７とを具備する。複数の下りリンク共有データチャネル処理部３１、複数の下りリンク制御チャネル処理部３３、送信アンテナ毎のアンテナ毎送信処理部（送信部）３７は、各々同様の構成および機能を有するので、それぞれの一つを代表して説明する。
【００７３】
＜下りリンク共有データチャネル処理部３１＞
下りリンク共有データチャネル処理部３１は、外部から入力された情報データ、制御部１１から入力されたシステム情報について下りリンク共有データチャネルの処理を行う。
すなわち各々の下りリンク共有データチャネル処理部３１は、いずれか一つの移動局装置２宛ての情報データを受けて、ターボ符号化およびデータ変調を行い、該移動局装置２宛ての信号を生成するか、またはマルチキャストサブフレーム配置パターンなどのシステム情報を受けて、ターボ符号化およびデータ変調を行い、不特定多数の移動局装置２宛の信号を生成する。下りリンク共有データチャネル処理部３１は、ターボ符号部３１１と、データ変調部３１２とを具備する。
【００７４】
＜マルチキャストチャネル処理部３２＞
マルチキャストチャネル処理部（スケジューリング情報信号生成部）３２は、外部から入力されたマルチキャストデータと制御部１１から入力されたダイナミックスケジューリング情報についてマルチキャストチャネルの処理を行う、すなわちマルチキャストチャネル処理部３２が、マルチキャストデータおよびダイナミックスケジューリング情報を受けて、ターボ符号化およびデータ変調を行い、不特定多数の移動局装置２宛ての信号を生成する。マルチキャストチャネル処理部３２は、ターボ符号部３２１と、データ変調部３２２とを具備する。
【００７５】
＜下りリンク制御チャネル処理部３３＞
下りリンク制御チャネル処理部（制御信号生成部）３３は、制御部１１から入力された制御データについて下りリンク制御チャネルの処理を行う、すなわち各々の下りリンク制御チャネル処理部３３が、いずれかの一つの移動局装置２宛の制御データであって、該移動局装置２宛ての下りリンク無線リソース割当情報または上りリンク無線リソース割当情報を受けて、符号化およびＱＰＳＫ変調を行い、該制御データの信号を生成するか、複数の移動局装置２宛の制御データであって、該不特定数の移動局装置２宛の送信電力コマンド情報を受けて、符号化およびＱＰＳＫ（Ｑｕａｄｒａｔｕｒｅ  Ｐｈａｓｅ  Ｓｈｉｆｔ  Ｋｅｙｉｎｇ；４相位相偏移変調）変調を行い、該制御データの信号を生成する。なお、変調方式は、ＱＰＳＫ変調に限定されない。
【００７６】
なお、下りリンク制御チャネル処理部３３は、当該処理部が生成した信号が配置されるサブフレームの種別に応じた項目からなる制御データの信号を生成する。例えば、ユニキャストサブフレームに配置される制御データの項目は、上りリンク無線リソース割当情報、下りリンク無線リソース割当情報、送信電力コマンド情報であり、マルチキャストサブフレームに配置される制御データの項目は、上りリンク無線リソース割当情報、送信電力コマンド情報である。下りリンク制御チャネル処理部３３は、符号部３３１と、ＱＰＳＫ変調部３３２とを具備する。
【００７７】
＜下りリンク制御チャネル処理部３３の符号部３３１＞
図８は、下りリンク制御チャネル処理部３３の符号部３３１の内部構成を示すブロック図である。下りリンク制御チャネル処理部３３の符号部３３１は、誤り検出符号多重部３３３と、畳み込み符号部３３４と、レートマッチング部３３５とを具備する。
下りリンク制御チャネル処理部３３の符号部３３１は、制御部１１から入力された制御データについて符号化の処理を行う。すなわち、下りリンク制御チャネル処理部３３の符号部３３１では、誤り検出符号多重部３３３は、予め決められた生成多項式を用いて生成する誤り検出符号を制御データに多重し、畳み込み符号部３３４は、誤り検出符号を多重した制御データを畳み込み符号化し、レートマッチング部３３５は、畳み込み符号化した制御データの繰り返し処理や間引き処理をし、予め決められた４つのうちのいずれかのリソースエレメントのサイズに対応する長さに、該制御データの信号を符号化する。
【００７８】
ここで、予め決められた４つのリソースエレメントのサイズとは、３６リソースエレメントと７２リソースエレメントと１４４リソースエレメントと２８８リソースエレメントとである。そして、リソースエレメントのサイズに対応する長さは、ＱＰＳＫ変調をしたときの長さ、すなわち、１リソースエレメントに対して、２ビットの長さである。
【００７９】
＜多重部３６＞
多重部３６は、下りリンク共有データチャネル処理部３１が生成した情報データおよびシステム情報の信号を、ユニキャストサブフレームに配置し、マルチキャストチャネル処理部３２が生成したマルチキャストデータおよびダイナミックスケジューリング情報の信号を、マルチキャストサブフレームに配置し、下りリンク制御チャネル処理部３３が生成した制御データの信号をユニキャストサブフレームとマルチキャストサブフレームとに配置する。
【００８０】
＜送信アンテナ毎送信処理部３７＞
送信アンテナ毎送信処理部３７は、多重部３６が各送信アンテナ向けに多重した多重結果の信号を、各送信アンテナを介して送信する。送信アンテナ毎送信処理部３７は、ＩＦＦＴ（Ｉｎｖｅｒｓｅ  Ｆａｓｔ  Ｆｏｕｒｉｅｒ  Ｔｒａｎｓｆｏｒｍ：高速逆フーリエ変換）部３７１と、ＧＩ（Ｇｕａｒｄ  Ｉｎｔｅｒｖａｌ：ガードインターバル）挿入部３７２と、Ｄ／Ａ（ディジタル／アナログ変換）部３７３と、送信ＲＦ（Ｒａｄｉｏ  Ｆｒｅｑｕｅｎｃｙ；無線周波数）部３７４とを具備する。
【００８１】
＜基地局装置１の送信処理の説明＞
＜下りリンク共有データチャネル処理部３１＞
複数の下りリンク共有データチャネル処理部３１各々は、外部から入力された情報データ、および制御部１１から入力されたシステム情報（以下、情報データとシステム情報とをあわせて「データ」という）をＯＦＤＭ方式で伝送するためのベースバンド処理を行う。ターボ符号部３１１は、制御部１１からの符号化率の指示に従い、入力されたデータの誤り耐性を高めるためのターボ符号による誤り訂正符号化を行う。データ変調部３１２は、ＱＰＳＫ、１６ＱＡＭ（１６Ｑｕａｄｒａｔｕｒｅ  Ａｍｐｌｉｔｕｄｅ  Ｍｏｄｕｌａｔｉｏｎ；１６値直交振幅変調）、６４ＱＡＭ（６４Ｑｕａｄｒａｔｕｒｅ  Ａｍｐｌｉｔｕｄｅ  Ｍｏｄｕｌａｔｉｏｎ；６４値直交振幅変調）等のような変調方式のうち制御部１１から指示された変調方式で、ターボ符号部３１１により誤り訂正符号化されたデータを変調する。
【００８２】
＜マルチキャストチャネル処理部３２＞
マルチキャストチャネル処理部３２は、外部から入力されたマルチキャストデータと制御部１１から入力されたダイナミックスケジューリング情報をＯＦＤＭ方式で伝送するためのベースバンド処理を行う。ターボ符号部３２１は、制御部１１からの符号化率の指示に従い、入力されたマルチキャストデータおよびダイナミックスケジューリング情報の誤り耐性を高めるためのターボ符号による誤り訂正符号化を行う。データ変調部３２２は、ＱＰＳＫ、１６ＱＡＭ（１６Ｑｕａｄｒａｔｕｒｅ  Ａｍｐｌｉｔｕｄｅ  Ｍｏｄｕｌａｔｉｏｎ；１６値直交振幅変調）、６４ＱＡＭ（６４Ｑｕａｄｒａｔｕｒｅ  Ａｍｐｌｉｔｕｄｅ  Ｍｏｄｕｌａｔｉｏｎ；６４値直交振幅変調）等のような変調方式のうち制御部１１から指示された変調方式で、ターボ符号部３２１により誤り訂正符号化されたマルチキャストデータおよびダイナミックスケジューリング情報を変調する。
【００８３】
＜下りリンク制御チャネル処理部３３＞
複数の下りリンク制御チャネル処理部３３各々は、制御データをＯＦＤＭ方式で伝送するためのベースバンド処理を行う。符号部３３１は、制御部１１から入力された制御データを誤り検出符号部３３３で制御データと誤りを検出するための誤り検出符号の多重を行い、畳み込み符号部３３４で制御データの誤り耐性を高めるための畳み込み符号による誤り訂正符号化を行い、レートマッチング部３３５で制御データを多重部３６で下りリンク制御チャネルに多重するときのサイズと一致させるための繰り返し、または間引きを行う。ＱＰＳＫ変調部３３２は、符号部３３１により符号化された制御データをＱＰＳＫ変調方式で変調する。
【００８４】
参照信号生成部３４は、制御部１１からの各サブフレームの種別を示す制御信号に基づいて、下りリンクパイロットチャネルで基地局装置１の各送信アンテナが送信する下りリンク制御チャネルや下りリンク共有データチャネルなどのための参照信号とマルチキャストチャネルのための参照信号を生成する。
制御フォーマットインディケータ信号生成部３５は、制御部１１からの制御信号に基づいて、下りリンク制御チャネルを構成するＯＦＤＭシンボルを示す情報を制御フォーマットインディケータチャネルで送信する制御フォーマットインディケータ信号を生成する。
【００８５】
＜多重部３６＞
多重部３６は、制御部１１からの制御信号に基づいて、下りリンク共有データチャネル処理部３１各々が出力した符号化および変調等の処理済の各移動局装置２宛てのデータの送信信号と、マルチキャストチャネル処理部３２が出力した符号化および変調等の処理済の移動局装置２宛てのマルチキャストデータの送信信号と、下りリンク制御チャネル処理部３３が出力した符号化および変調等の処理済みの制御データの送信信号と、制御フォーマットインディケータ信号と、参照信号とを各送信アンテナ向けのリソースエレメントに配置する。
【００８６】
また、多重部３６は、下りリンク共有データチャネル処理部３１が生成した送信信号とマルチキャストチャネル処理部３２が生成した送信信号を同じサブフレームに多重することはしない。つまり、多重部３６は下りリンク共有データチャネル処理部３１が生成した送信信号はユニキャストサブフレームのリソースエレメントへ配置し、マルチキャストチャネル処理部３２が生成した送信信号はマルチキャストサブフレームのリソースエレメントへ配置する。
【００８７】
図９は、マルチキャストサブフレーム配置パターンと本実施形態におけるダイナミックスケジューリング情報との組合せを説明する図である。すなわち、マルチキャストサブフレーム配置パターンで示す複数のサブフレームにおいて、ダイナミックスケジューリング情報でマルチキャストデータを送信するサブフレームの位置を示されなかったサブフレームを説明する図である。図９において、横軸は時間軸、縦軸は周波数軸である。ここでは、説明の簡略化のためにマルチキャストサブフレームに配置するダイナミックスケジューリング情報とマルチキャストデータ、ユニキャストサブフレームに配置する情報データのみを示し、各サブフレームに配置されるその他のデータについては図示しない。
【００８８】
ダイナミックスケジューリング情報は斜線でハッチングされた四角で表し（マルチキャストサブフレーム配置パターンで指定された１つ目のサブフレーム）、マルチキャストデータは太枠の四角で表し（マルチキャストサブフレーム配置パターンで指定された１〜５つ目のサブフレーム）、情報データは細枠の四角で表し（マルチキャストサブフレーム配置パターンで指定されていないサブフレーム）、マルチキャストサブフレーム配置パターンで指定されているがマルチキャストデータを送信しないサブフレームはバツの付いた四角で表す（マルチキャストサブフレーム配置パターンで指定された６〜７つ目のサブフレーム）。
【００８９】
図９のマルチキャストサブフレーム配置パターンの周期の始めから１３サブフレームまでにおいて、マルチキャストデータは、マルチキャストデータ１からマルチキャストデータ５まで５つ配置されている。また、マルチキャストデータ１からマルチキャストデータ５までが配置されているマルチキャストサブフレーム配置パターンで示したサブフレームの位置を示すダイナミックスケジューリング情報が1つ配置されている。
【００９０】
マルチキャストサブフレーム配置パターンは２番目と３番目と７番目と９番目と１０番目と１１番目と１３番目のサブフレームを示している。しかし、ダイナミックスケジューリング情報は２番目と３番目と７番目と９番目と１０番目のサブフレームのみを示しているので、１１番目と１３番目のサブフレームにはマルチキャストデータが配置されない。
多重部３６は、このようなサブフレームに下りリンク共有データチャネル処理部３１が出力したデータの送信信号を配置することができる。
【００９１】
また、多重部３６は、マルチキャストサブフレーム配置パターンで示したサブフレームにおいて、ダイナミックスケジューリング情報で示したサブフレーム、すなわちマルチキャストサブフレームには、上りリンク無線リソース割当情報、送信電力コマンド情報を配置する。さらに、多重部３６は、マルチキャストサブフレーム配置パターンで示したサブフレームにおいて、ダイナミックスケジューリング情報で示さなかったサブフレームに下りリンク共有データチャネル処理部３１が出力したデータの送信信号を配置するサブフレーム、すなわちユニキャストサブフレームには、下りリンク無線リソース割当情報、上りリンク無線リソース割当情報、送信電力コマンド情報を配置する。
【００９２】
＜送信アンテナ毎送信処理部３７＞
ＩＦＦＴ部３７１は、多重部３６から入力された信号を高速逆フーリエ変換して、ＯＦＤＭ方式の変調を行う。ＧＩ挿入部３７２は、制御部１１からの制御信号に基づいて、ＩＦＦＴ部３７１によりＯＦＤＭ変調済みの信号にガードインターバルを付加することで、ＯＦＤＭ方式におけるシンボルとする。このＯＦＤＭ方式のシンボルが、ベースバンドのディジタル信号となる。ガードインターバルは、伝送するシンボルの先頭又は末尾の一部を複製する公知の方法によって得る。また、ＧＩ挿入部３７２は、マルチキャストサブフレームの場合には予備のサンプル（図４）を多重する。Ｄ／Ａ部３７３は、ＧＩ挿入部３７２から入力されたベースバンドのディジタル信号をアナログ信号に変換する。
【００９３】
送信ＲＦ部３７４は、Ｄ／Ａ部３７３から入力されたアナログ信号から、中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、対応する送信アンテナに出力する。基地局装置１は、アンテナ毎送信処理部３７を、送信に使用される送信アンテナの数だけ、すなわち、本実施形態では５つ具備し、各アンテナ毎送信処理部３７は多重部３６が出力した各送信アンテナ向けの信号のうち、対応する送信アンテナ向けの信号を処理する。
【００９４】
＜移動局装置２の概要＞
本実施形態の移動局装置２は、基地局装置１が送信したサブフレームから自装置宛ての信号を受信する。移動局装置２は、下りリンク共有データチャネルのシステム情報で送信されるマルチキャストサブフレーム配置パターンで指定されたサブフレームにおいて、ダイナミックスケジューリング情報でマルチキャストデータが含まれると示されたサブフレームはマルチキャストサブフレームであると判断し、ダイナミックスケジューリング情報でマルチキャストデータが含まれると示されなかったサブフレームはユニキャストサブフレームであると判断する。そして、移動局装置２は、マルチキャストサブフレーム配置パターンで示されたサブフレームがユニキャストサブフレームだと判断した場合と、マルチキャストサブフレームだと判断した場合で下りリンク制御チャネルの復号処理の方法を切り替えることで、処理負荷を抑制する。
【００９５】
＜移動局装置２のブロック図＞
図１０は、本実施形態における移動局装置２の構成を示す概略ブロック図である。図１０に示すように、移動局装置２は、制御部２１、受信処理部２２、送信処理部２３を有する。受信処理部２２は、受信アンテナを介して基地局装置１から受信した下りリンク制御チャネル、下りリンク共有データチャネル、マルチキャストチャネル、下りリンクパイロットチャネル、制御フォーマットインディケータチャネルに対し受信処理を行う。受信処理部２２は、下りリンク制御チャネルを用いて通知された制御データと、下りリンク共有データチャネルと報知チャネルを用いて通知されたシステム情報と、制御フォーマットインディケータチャネルを用いて通知された制御フォーマットインディケータ信号と、マルチキャストチャネルを用いて通知されたダイナミックスケジューリング情報とを制御部２１に出力する。また、受信処理部２２は、下りリンク共有データチャネルを用いて通知された情報データと、マルチキャストチャネルを用いて通知されたマルチキャストデータとを、外部に出力する。
【００９６】
制御部２１は、基地局装置１より下りリンク制御チャネルを用いて通知された制御データと、下りリンク共有データチャネルと報知チャネルを用いて通知されたシステム情報と制御フォーマットインディケータチャネルを用いて通知された制御フォーマットインディケータ信号と、マルチキャストチャネルを用いて通知されたダイナミックスケジューリング情報に基づいて、送信処理部２３、受信処理部２２を制御する。
【００９７】
また、制御部２１は信号判断部２１１を具備する。信号判断部（フレーム種別判定部）２１１は、受信処理部２２から入力されたダイナミックスケジューリング情報とマルチキャストサブフレーム配置パターンに基づいて受信したサブフレームがマルチキャストサブフレームかユニキャストサブフレームかを判断し、受信処理部２２にガードインターバルを除去する方法と、下りリンク制御チャネルの復号処理の方法と、多重分離の方法を指示する。
【００９８】
送信処理部２３は、外部から入力された情報データと制御部２１から入力された制御データの送信を、制御部２１からの入力に基づき上りリンク制御チャネル、上りリンク共有データチャネル、上りリンクパイロットチャネル、ランダムアクセスチャネルを用いて送信アンテナを介して行う。なお、本発明とは直接の関連がないため、送信処理部２３による上りリンクに関する処理の詳細については省略する。
【００９９】
＜移動局装置２の受信処理部２２＞
図１１は、本実施形態における移動局装置２の受信処理部２２の内部構成を示す概略ブロック図である。移動局装置２の受信処理部２２は、受信ＲＦ（Radio Frequency；無線周波数）部２２１と、Ａ／Ｄ（Analogue/Digital；アナログ／デジタル）部２２２と、ＧＩ（Guard Interval；ガードインターバル）除去部２２３と、ＦＦＴ（Fast Fourier Transform；高速フーリエ変換）部２２４と、多重分離部２２５と、伝播路推定部２２６と、伝播路補償部２２７、２２８、２２９と、制御フォーマットインディケータ検出部２３０と、データ復調部２３１と、ターボ復号部（スケジューリング情報検出部）２３２と、ＱＰＳＫ復調部２３３と、復号部（制御データ検出部）２３４とを具備する。本実施形態では、受信ＲＦ部２２１とＡ／Ｄ部２２２とＧＩ除去部２２３とＦＦＴ部２２４とで、基地局装置１から送信された信号を受信する受信部として機能する。
【０１００】
受信ＲＦ部２２１は、受信アンテナを介して受信した信号を増幅し、中間周波数に変換し（ダウンコンバート）、不要な周波数成分を除去し、信号レベルが適切に維持されるように増幅レベルを制御し、受信した信号の同相成分及び直交成分に基づいて、直交復調する。Ａ／Ｄ部２２２は、受信ＲＦ部２２１により直交復調されたアナログ信号をディジタル信号に変換する。ＧＩ除去部２２３は、制御部２１からの指示に基づき、Ａ／Ｄ部２２２の出力したディジタル信号からガードインターバルに相当する部分を除去する。ＦＦＴ部２２４は、ＧＩ除去部２２３から入力された信号を高速フーリエ変換し、ＯＦＤＭ方式の復調を行う。
【０１０１】
多重分離部２２５は、制御部２１からの指示に基づき、ＦＦＴ部２２４がフーリエ変換した信号、すなわちＯＦＤＭ方式により復調された受信信号から下りリンクパイロットチャネル、制御フォーマットインディケータチャネル、下りリンク共有データチャネル、マルチキャストチャネル、下りリンク制御チャネルを、配置されたリソースエレメントから抽出して、出力する。
【０１０２】
具体的には、多重分離部２２５は、固定の配置である下りリンクパイロットチャネルと制御フォーマットインディケータチャネルを抽出して、下りリンクパイロットチャネルは伝播路推定部２２６に出力し、制御フォーマットインディケータチャネルは伝播路補償部２２７に出力する。
さらに、多重分離部２２５は、制御部２１を介して入力される、先に伝播路補償部２２７に出力した制御フォーマットインディケータチャネルに含まれる制御フォーマットインディケータ信号に基づいて制御部２１が判断した無線リソース割当て情報などの制御データを含む下りリンク制御チャネルを抽出して、伝播路補償部２２９に出力する。
【０１０３】
さらに、多重分離部２２５は、制御部２１を介して入力される、先に伝播路補償部２２９に出力した下りリンク制御チャネルに含まれる無線リソース割当情報に基づいて下りリンク共有データチャネルを抽出して、伝播路補償部２２８に出力する。
または、現在受信している、または過去に受信したサブフレームの、下りリンク共有データチャネルのシステム情報に含まれるマルチキャストサブフレーム配置パターンと、マルチキャストチャネルに含まれるダイナミックスケジューリング情報が入力された制御部２１の信号判断部２１１から入力される制御信号に基づいてマルチキャストチャネルを抽出して、伝播路補償部２２８に出力する。
【０１０４】
伝播路推定部２２６は、多重分離部２２５が分離した下りリンクパイロットチャネルに配置された既知の参照信号の受信結果に基づいて基地局装置１の送信アンテナ各々に対する伝播路変動を推定し、伝播路変動補償値を出力する。
伝播路補償部２２７は、伝播路推定部２２６からの伝播路変動補償値に基づいて、多重分離部２２５から入力された制御フォーマットインディケータチャネルの信号の伝播路変動の補償を行う。
制御フォーマットインディケータ検出部２３０は、伝播路補償部２２７により伝播路変動の補償が行われた制御フォーマットインディケータチャネルに配置された信号から下りリンク制御チャネルが構成されるＯＦＤＭシンボル数を示す制御フォーマットインディケータ信号を検出し、制御部２１に出力する。
【０１０５】
伝播路補償部２２８は、伝播路推定部２２６からの伝播路変動補償値に基づいて、多重分離部２２５から入力された下りリンク共有データチャネルとマルチキャストチャネルの信号の伝播路変動の補償を行う。
データ復調部２３１は、伝播路補償部２２８により伝播路変動の補償された下りリンク共有データチャネルとマルチキャストチャネルの復調を行う。この復調は、基地局装置１のデータ変調部３１２、３２２で用いた変調方式に対応したものが行われ、下りリンク共有データチャネルの変調方式は、下りリンク制御チャネルに含まれる情報に基づき制御部２１から指示され、マルチキャストチャネルの変調方式は、下りリンク共有データチャネルのシステム情報とマルチキャストチャネルに含まれる情報に基づき制御部２１から指示される。
【０１０６】
ターボ復号部２３２は、データ復調部２３１が復調した下りリンク共有データチャネルとマルチキャストチャネルを復号する。すなわち、ターボ復号部（スケジューリング情報検出部）２３２は、受信した信号から、マルチキャストチャネルに配置されたダイナミックスケジューリング情報を検出する。ターボ復号部２３２で復号された下りリンク共有データチャネルに含まれていたシステム情報は制御部２１に入力される。この復号は、基地局装置１のターボ符号部で用いた符号化率に対応したものが行われ、下りリンク共有データチャネルの符号化率は、下りリンク制御チャネルに含まれる情報に基づき制御部２１から指示され、マルチキャストチャネルの符号化率は、下りリンク共有データチャネルのシステム情報とマルチキャストチャネルに含まれる情報に基づき制御部２１から指示される。
【０１０７】
伝播路補償部２２９は、伝播路推定部２２６からの伝播路変動補償値に基づいて、多重分離部２２５から入力された下りリンク制御チャネルの信号の伝播路変動の補償を行う。
ＱＰＳＫ復調部２３３は、伝播路補償部２２６により伝播路変動の補償された下りリンク制御チャネルのＱＰＳＫ復調を行う。
復号部（制御データ検出部）２３４は、ＱＰＳＫ復調部２３３が復調した下りリンク制御チャネルを復号する。すなわち、復号部２３４は、受信した信号のサブフレーム各々に対して、信号判定部２１１の判定結果が示す種別に対応する項目の制御データの検出処理を行う。この検出処理を行う際に、判定結果が示す種別に対応する項目に応じたデータサイズを用いる。具体的には、検出処理を行う際のレートデマッチングにおいて、レートデマッチング結果がこのデータサイズとなるようにレートデマッチングを行う。復号部２３４で復号された下りリンク制御チャネルに構成される制御データは制御部２１に入力される。復号部２３４の詳細は後述する。
【０１０８】
制御部２１は、制御データ中の変調方式に関する情報に基づいてデータ復調部２３１に制御信号を出力し、制御データ中の符号化率に関する情報に基づいてターボ復号部２３２に制御信号を出力する。
また、制御部２１は、制御フォーマットインディケータ信号に基づいて自移動局装置２の下りリンク制御チャネルを、配置されたリソースエレメントから抽出するように多重分離部２２５に制御信号を出力する。
また、制御部２１は、復号部２３４より入力される制御データが下りリンク無線リソース割当情報の場合、下りリンク無線リソース割当情報に基づいて自移動局装置２の下りリンク共有データチャネルを、配置されたリソースエレメントから抽出するように多重分離部２２５に制御信号を出力する。
【０１０９】
また、制御部２１は、復号部２３４より入力される制御データが上りリンク無線リソース割当情報の場合、上りリンク無線リソース割当情報に基づいて上りリンク共有データチャネルを送信するように送信処理部２３に制御信号を出力する。
また、制御部２１は、復号部２３４より入力される制御データが送信電力コマンド情報の場合、送信電力コマンド情報に基づいて上りリンク共有データチャネル、または上りリンク制御チャネルの送信電力を設定するように送信処理部２３に制御信号を出力する。
【０１１０】
信号判断部（フレーム種別判定部）２１１は、ターボ復号部２３２より入力される下りリンク共有データチャネルに配置されているシステム情報内のマルチキャストサブフレーム配置パターンを保持しておき、該マルチキャストサブフレーム配置パターンと、ターボ復号部２３２より入力されるマルチキャストチャネルに配置されているダイナミックスケジューリング情報とに基づき、受信したサブフレーム各々の種別を判定する。
【０１１１】
具体的には、信号判断部２１１は、保持しているマルチキャストサブフレーム配置パターンに基づきマルチキャストサブフレームを配置可能と指定されたサブフレームを認識し、指定されていないサブフレームの種別をユニキャストサブフレームと判定する。さらに、信号判断部２１１は、先に認識したマルチキャストサブフレームを配置可能と指定されたサブフレームのうち、ターボ復号部２３２より入力されるマルチキャストチャネルに配置されているダイナミックスケジューリング情報によりマルチキャストデータが対応付けられたサブフレームの種別を、マルチキャストサブフレームと判定する。また、信号判断部２１１は、先に認識したマルチキャストサブフレームを配置可能と指定されたサブフレームのうち、ダイナミックスケジューリング情報によりマルチキャストデータが対応付けられていないサブフレームの種別を、ユニキャストサブフレームと判定する。
【０１１２】
また、信号判断部２１１は、伝搬路推定部２２６、伝搬路補償部２２８、データ復調部２３１、ターボ復号部２３２に、受信したサブフレームの種別に応じた処理を行うように制御信号で指示をする。
【０１１３】
＜レートデマッチングの処理の切換＞
図１２は、移動局装置１の復号部２３４の内部構成を示すブロック図である。復号部２３４は制御データ多重分離部２３５と、レートデマッチング部２３６と、ビタビデコーダ部２３７と、誤り検出部２３８を具備する。
制御データ多重分離部２３５は、当該移動局装置２宛の制御データが配置されている可能性のあるリソースエレメントのＱＰＳＫ復調結果（ビット列）を３６リソースエレメント毎のビット列、７２リソースエレメント毎のビット列、１４４リソースエレメント毎のビット列、および２８８リソースエレメント毎のビット列の４種類のパターンで、制御データのビット列に分離してレートデマッチング部２３６に出力する。
【０１１４】
レートデマッチング部２３６は、信号判断部２１１からのサブフレームの種別を指示する制御信号に基づいて、可能性のある制御データの項目各々のデータ長と一致するように、制御データ多重分離部２３５から入力された制御データのビット列をレートデマッチングし、ビタビデコーダ部２３７に出力する。
つまり、信号判断部２１１がマルチキャストサブフレーム配置パターンで示されたサブフレームがマルチキャストサブフレームであると判定した場合、制御データには下りリンク無線リソース割当情報は含まれていないので、信号判断部２１１は制御データ多重分離部２３５から入力された制御データを下りリンク無線リソース割当情報以外の制御データだと想定してレートデマッチングを行うようにレートデマッチング部２３６に制御信号で指示をする。すなわち、このように信号判断部２１１がマルチキャストサブフレームであると判定した場合、制御データ多重分離部２３５は、そのサブフレームに対して、レートデマッチングの結果、下りリンク無線リソース割当情報の長さになるレートマッチングパターンを用いたレートデマッチングを行わない。従って、制御データを検出する処理負荷を抑制することができるという効果を奏する。
【０１１５】
また、信号判断部２１１がマルチキャストサブフレーム配置パターンで示されたサブフレームがユニキャストサブフレームだと判定した場合、信号判断部２１１は制御データ多重分離部２３５から入力された制御データを下りリンク無線リソース割当情報、上りリンク無線リソース割当情報または送信電力コマンド情報だと想定してレートデマッチングを行うようにレートデマッチング部２３６に制御信号で指示をする。
【０１１６】
ビタビデコーダ部２３７は、レートデマッチング部２３６から入力された制御データを畳み込み復号し、その復号結果を誤り検出部２３８に出力する。
誤り検出部２３８は、ビタビデコーダ部２３７から入力された制御データに多重されている誤り検出符号を抽出し誤り検出をし、誤りを検出した場合は、まだ試していないリソースエレメントとレートデマッチング（データ長）との組合せの復号処理をするように制御データ多重分離部２３５に制御信号で指示をし、誤りを検出しなかった場合は制御データを制御部２１に出力してから、まだ試していない復号処理をするように制御データ多重分離部２３５に指示をする。
【０１１７】
＜信号判断部２１１のフローチャート＞
図１３は、移動局装置２の信号判断部２１１の動作の例を説明するフローチャートである。信号判断部２１１は、ターボ復号部２３２からマルチキャストサブフレーム配置パターンとダイナミックスケジューリング情報を入力され（Ｓａ１）、次に信号判断部２３２は、マルチキャストサブフレーム配置パターンとダイナミックスケジューリング情報から、受信したサブフレームがマルチキャストサブフレームかユニキャストサブフレームかを判定する（Ｓａ２）。
次に信号判断部２１１は、レートデマッチング部２３６、伝搬路推定部２２６、伝搬路補償部２２８、データ復調部２３１、ターボ復号部２３１に、受信したサブフレームの種別（マルチキャストサブフレームまたはユニキャストサブフレーム）に応じた処理を行うように制御信号で異なる指示をする（Ｓａ３）。
【０１１８】
＜レートデマッチング部２３６のフローチャート＞
図１４は、移動局装置２のレートデマッチング部２３６の動作の例を説明するフローチャートである。レートデマッチング部２３６に、制御データ多重分離部２３５から制御データが入力される（Ｓｂ１）。次にレートデマッチング部２３６に、信号判断部２１１から受信したサブフレームがマルチキャストサブフレームかユニキャストサブフレームかを示す制御信号が入力される（Ｓｂ２）。
【０１１９】
信号判断部２１１から入力した制御信号がマルチキャストサブフレームを示していた場合（Ｓｂ３−マルチキャストサブフレーム）、レートデマッチング部２３６は、制御データが上りリンク無線リソース割当情報または送信電力コマンド情報だと想定したレートデマッチングを行う（Ｓｂ４）。
また、信号判断部２１１から入力した制御信号がユニキャストサブフレームを示していた場合（Ｓｂ３−ユニキャストサブフレーム）、レートデマッチング部２３６は、制御データが下りリンク無線リソース割当情報、上りリンク無線リソース割当情報または送信電力コマンド情報だと想定したレートデマッチングを行う（Ｓｂ５）。
【０１２０】
ステップＳｂ４とＳｂ５のように、復号部２３４のレートデマッチング部２３６は、信号判断部２１１によるサブフレームの種別の判定結果が示す種別に対応する項目の制御データを検出するためのレートデマッチング処理を行うので、制御データを検出する処理負荷を抑制するとの顕著な効果を奏する。
【０１２１】
なお、本発明に関わる移動局装置２で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）である。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０１２２】
また、図６における無線リソース制御部１０、制御部１１、および、図７における下りリンク共有データチャネル処理部３１、マルチキャストチャネル処理部３２、下りリンク制御チャネル処理部３３、参照信号生成部３４、制御フォーマットインディケータ信号生成部３５、多重部３６、ＩＦＦＴ部３７１、ＧＩ挿入部３７２、Ｄ／Ａ部３７３、および図８における誤り検出符号多重部３３３、畳み込み符号部３３４、レートマッチング部３３５、および図１０における制御部２１、信号判断部２１１、および図１１におけるＡ／Ｄ部２２２、ＧＩ除去部２２３、ＦＦＴ部２２４、多重分離部２２５、伝播路推定部２２６、伝播路補償部２２７、制御フォーマットインディケータ検出部２３０、伝播路補償部２２８、データ復調部２３１、ターボ復号部２３２、伝播路補償部２２９、ＱＰＳＫ復調部２３３、復号部２３４、制御部２１、信号判断部２１１および図１２の制御データ多重分離部２３５、レートデマッチング部２３６、ビタビデコーダ部２３７、誤り検出部２３８の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１２３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１２４】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【０１２５】
本発明は、携帯電話端末を移動局装置とする移動体通信システムに用いて好適であるが、これに限定されない。
【符号の説明】
【０１２６】
１…基地局装置
１０…無線リソース制御部
１１…制御部
１２…受信処理部
１３…送信処理部
３１…下りリンク共有データチャネル処理部
３２…マルチキャストチャネル処理部
３３…下りリンク制御チャネル処理部
３４…参照信号生成部
３５…制御フォーマットインディケータ信号生成部
３６…多重部
３７…送信アンテナ毎送信処理部
３１１…ターボ符号部
３１２…データ変調部
３２１…ターボ符号部
３２２…データ変調部
３３１…符号部
３３２…ＱＰＳＫ変調部
３３３…誤り検出符号多重部
３３４…畳み込み符号部
３３５…レートマッチング部
３７１…ＩＦＦＴ部
３７２…ＧＩ挿入部
３７３…Ｄ／Ａ部
３７４…送信ＲＦ部
２…移動局装置
２１…制御部
２２…受信処理部
２３…送信処理部
２１１…信号判断部
２２１…受信ＲＦ部
２２２…Ａ／Ｄ部
２２３…ＧＩ除去部
２２４…ＦＦＴ部
２２５…多重分離部
２２６…伝播路推定部
２２７、２２８、２２９…伝播路補償部
２３０…制御フォーマットインディケータ検出部
２３１…データ復調部
２３２…ターボ復号部
２３３…ＱＰＳＫ復調部
２３４…復号部
２３５…制御データ多重分離部
２３６…レートデマッチング部
２３７…ビタビデコーダ部
２３８…誤り検出部
【図１】
2009157443.tif 000003
【図２】
2009157443.tif 000004
【図３】
2009157443.tif 000005
【図４】
2009157443.tif 000006
【図５】
2009157443.tif 000007
【図６】
2009157443.tif 000008
【図７】
2009157443.tif 000009
【図８】
2009157443.tif 000010
【図９】
2009157443.tif 000011
【図１０】
2009157443.tif 000012
【図１１】
2009157443.tif 000013
【図１２】
2009157443.tif 000014
【図１３】
2009157443.tif 000015
【図１４】
2009157443.tif 000016
【図１５】
2009157443.tif 000017
【図１６】
2009157443.tif 000018
【図１７】
2009157443.tif 000019
【図１８】
2009157443.tif 000020
【図１９】
2009157443.tif 000021
【図２０】
2009157443.tif 000022
【図２１】
2009157443.tif 000023
【図２２】
2009157443.tif 000024
【図２３】
2009157443.tif 000025
【国際調査報告】
2009157443.tif 000026
2009157443.tif 000027